(57)【要約】本発明によるディスクカートリッジは、ディスクを回転可能に収納するディスク収納部を有するカートリッジ本体であって、前記ディスクの一部を露出する開口部が設けられたカートリッジ本体と、前記開口部を開放または閉塞するように移動可能なシャッター部材と、前記シャッター部材が前記開口部を閉塞する閉塞状態において、前記シャッター部材が前記開口部を開放しないように付勢するシャッター戻しバネと、前記シャッター部材をロックするロック部とを備える。
2004032137.tif 000002
【特許請求の範囲】
【請求項１】
ディスクを回転可能に収納するディスク収納部を有するカートリッジ本体であって、前記ディスクの一部を露出する開口部が設けられたカートリッジ本体と、
前記開口部を開放または閉塞するように移動可能なシャッター部材と、
前記シャッター部材が前記開口部を開放しないように付勢するシャッター戻しバネと、
前記シャッター部材をロックするロック部と
を備える、ディスクカートリッジ。
【請求項２】
前記ロック部は、前記シャッター戻しバネを用いてロックされる、請求の範囲第１項に記載のディスクカートリッジ。
【請求項３】
前記カートリッジ本体は、第１のケースと第２のケースとを含み、
前記第１のケースと前記第２のケースとを一体に組み合せることによって、ディスク収納部が形成される、請求の範囲第１項に記載のディスクカートリッジ。
【請求項４】
前記カートリッジ本体には、前記ディスクカートリッジが前記ディスクを駆動するためのディスク駆動装置に装着された場合に、前記ディスク駆動装置に対する前記ディスクカートリッジの位置を規定するための位置決め穴が設けられている、請求の範囲第１項に記載のディスクカートリッジ。
【請求項５】
前記カートリッジ本体は、第１のケースと第２のケースとを含み、
前記第１のケースと前記第２のケースとを一体に組み合せることによって、ディスク収納部が形成され、
前記位置決め穴は、前記第１のケースおよび前記第２のケースを貫通しないように設けられている、請求の範囲第４項に記載のディスクカートリッジ。
【請求項６】
前記シャッター部材は、前記シャッター戻しバネと係合するバネ係合部を含み、
前記シャッター部材が開口部を閉塞する閉塞状態において、前記シャッター部材と前記シャッター戻しバネとは、前記シャッター部材が移動する方向とは略直角に前記バネ係合部内で摺動する、請求の範囲第２項に記載のディスクカートリッジ。
【請求項７】
前記カートリッジ本体には、前記シャッター部材が開口部を閉塞する閉塞状態において、前記シャッター部材が移動する方向とは略直角に前記シャッター戻しバネが係合するロック凹部が設けられる、請求の範囲第２項に記載のディスクカートリッジ。
【請求項８】
前記カートリッジ本体の前記シャッター部材と係合する側面には、前記カートリッジ本体の外部に開放された凹状の案内溝部が設けられ、
前記シャッター戻しバネの一方の端部は、前記案内溝部に沿って移動する、請求の範囲第２項に記載のディスクカートリッジ。
【請求項９】
前記シャッター戻しバネの前記一方の端部と当接する前記バネ係合部の面に、前記シャッター戻しバネの前記一方の端部を前記ロック凹部に移動する傾斜面が設けられる、請求の範囲第８項に記載のディスクカートリッジ。
【請求項１０】
前記第１のケースには、前記シャッター部材の移動をガイドするとともに前記シャッター部材を保持するための上側係合溝が設けられ、
前記第２のケースには、前記シャッター部材の移動をガイドするとともに前記シャッター部材を保持するための下側係合溝が設けられる、請求の範囲第３項に記載のディスクカートリッジ。
【請求項１１】
前記シャッター部材には、前記上側係合溝と係合する上側係合突部と、前記下側係合溝と係合する下側係合突部とが設けられる、請求の範囲第１０項に記載のディスクカートリッジ。
【請求項１２】
前記下側係合溝は、前記開口部と、所定の距離だけ離れて設けられる、請求の範囲１１項に記載のディスクカートリッジ。
【請求項１３】
前記開口部の外周部を連結する連結部が前記第２のケースに設けられ、前記連結部は、前記ディスクを駆動するためのディクス駆動装置が前記ディスクを駆動する場合の前記ディスクの面と略同一面の下面と、前記開口部から前記カートリッジ本体の端部に前記開口部における面と同一面を前記シャッター部材を閉塞する方向に延在した上面とを有し、
前記第１のケースの側面に切欠部が設けられ、
前記第１のケースの前記切欠部と前記連結部の前記上面とによって溝が形成される、請求の範囲第３項に記載のディスクカートリッジ。
【請求項１４】
前記第２のケースには、前記シャッター部材の開放範囲を規制する開放範囲規制部が設けられ、
前記ディスクを駆動するディスク駆動装置が前記第２のケースを載置する前記第２のケースの主面に、前記開放範囲規制部に前記開口部を介して対向する前記シャッター部材が係合する角部近傍に、前記主面より凹んだ平面の保持部が設けられる、請求の範囲第３項に記載のディスクカートリッジ。
【請求項１５】
前記ロック部材のロックを解除するロック解除部をさらに備える、請求の範囲第１項に記載のディスクカートリッジ。
【請求項１６】
前記ロック解除部は、前記シャッター戻しバネと接触する、請求の範囲第１５に記載のディスクカートリッジ。
【請求項１７】
前記ロック解除部は、前記ディスクを駆動するためのディスク駆動装置により押圧される押圧部とを備え、前記シャッター部材が開放または閉塞する方向に移動可能に設けられる、請求の範囲第１５項に記載のディスクカートリッジ。
【請求項１８】
前記ロック解除部は、前記シャッター部材が閉塞かつロックされた状態で、前記押圧部が押圧されることにより、ロック解除状態とし、その後、前記シャッター部材と一体となって開放位置まで前記シャッター部材とともに移動する、請求の範囲第１５項に記載のディスクカートリッジ。
【発明の詳細な説明】
【技術分野】  本発明は、ディスクカートリッジに関し、より詳細には、情報を記録する情報記録媒体であるディスクをカートリッジ本体に収納するディスクカートリッジに関する。
【背景技術】  情報を記録する情報記録媒体としてディスク、例えば、磁気ディスク、光ディスクが知られている。
ディスクは、オーディオディスクまたはビデオディスクとして使用されている。ディスクは、また、コンピューターのデータ記憶装置の情報記録媒体としても使用されている。
このようなディスクのうち、光ディスクを駆動するディスク駆動装置として、光ディスク装置が広く用いられている。
ディスクの記録密度の向上に伴い、より大容量でかつ小型の光ディスク装置が要望されている。また、オーディオ・ビデオ（ＡＶ）機器のみならず、パーソナルコンピューターの小型化およびポータブル化が進んでおり、光ディスク装置の小型化および薄型化が望まれている。
一般に、情報を記録可能なディスクはカートリッジ本体に収納されることによって、ディスクに埃および指紋が付着することを防ぐことができる。このように、ディスクをカートリッジ本体に収納するディスクカートリッジは、例えば、特許第３０３０８９４号および特許第３１７８０４７号に記載されている。
特許第３０３０８９４号（特に、段落番号００２０〜同００２４、同００３４、図１、５参照）および特許第３１７８０４７号（特に、段落番号００３０〜同００３４、図１、２、４参照）にて記載されたディスクカートリッジは、ＭＤ（ミニディスク）に用いられている。
このディスクカートリッジでは、ディスクは、カートリッジ本体に収納されており、カートリッジ本体には、ディスクの一部を露出する開口部が設けられている。
ディスクカートリッジは、開口部を開放または閉塞するように移動可能なシャッターを備えており、シャッターは、ディスクカートリッジをディスク駆動装置に挿入する方向と同じ方向に移動（具体的には、スライド）することによって、開口部を開放または閉塞する。
シャッターは、略コ字状の断面を有しており、シャッターの底面に、抜け止め突起が設けられている。シャッターは、カートリッジ本体を挟み込むとともに、カートリッジ本体の底面に形成されたガイド溝にシャッターの抜け止め突起を係合することによって、ディスク駆動装置にディスクカートリッジを挿入する方向にシャッターはスライドする。カートリッジ本体において、このようなガイド溝は、開口部よりも外周側に設けられている。
また、このディスクカートリッジは、シャッターが開口部を閉塞した状態でシャッターをロックするロック部材を備えている。ロック部材は、開口部よりもディスク駆動装置にディスクカートリッジを挿入する方向の先端側に設けられている。
ディスク駆動装置には、ディスクカートリッジが装着されるカートリッジホルダーが設けられており、カートリッジホルダーの内側面には、固定されたオープナ爪を設けられている。
ディスクカートリッジをディスク駆動装置に挿入すると、オープナ爪は、ディスクカートリッジの側面に設けられた溝内を通過し、ロック部材を押圧してシャッターのロックを解除した後、シャッターを後方へ移動させて、開口部を開放する。
開口部が開放された状態で、ディスク駆動装置の記録再生ヘッドが開口部に挿入されることよって、カートリッジ本体に収納されたディスクに情報を記録するか、または、ディスクに記録された情報を再生することができる。
一方、ディスクカートリッジをディスク駆動装置から取り出す場合、オープナ爪はシャッターを閉塞することはできない。したがって、ディスクカートリッジをディスク駆動装置から取り出す場合にシャッターを閉塞する板バネをディスク駆動装置に設けることが必要となる。板バネは、シャッターの側面に設けられた孔に係合して、シャッターを保持した状態でスライドし、それにより、開口部が閉塞される。
通常、カートリッジ本体の底面の４つのコーナー部付近は、基準面として機能する。ディスクカートリッジをディスク駆動装置に装着する場合、カートリッジ本体の基準面に対応する位置にメカシャーシが設けられており、そのメカシャーシに設置面を設けて上からディスクカートリッジを押さえることにより、ディスク駆動装置に対するディスクカートリッジを位置決めする。
しかしながら、上記の特許第３０３０８９４号および特許第３１７８０４７号に記載されたディスクカートリッジには、以下に示すような問題があった。
ディスクカートリッジをディスク駆動装置から取り出す場合、シャッターに開口部を閉塞させるように機能する板バネの抵抗が感じられ、操作感がよくない。また、その抵抗感を低減するために板バネがシャッターを保持する力を弱くすると、シャッターを確実に閉じることができなくなるおそれがある。
また、シャッターが開口部を閉塞することなくディスク駆動装置からディスクカートリッジを取り出すと、開口部から埃などの異物が侵入して、ディスクに付着し、ディスクの記録および再生に支障をきたすおそれがある。
また、シャッターが開口部を閉塞した状態でシャッターをロックするための専用のロック機構を設ける必要があるため、カートリッジ本体の方形のコーナー部に大きな曲率を設けるといったデザイン自由度を損ねることになる。また、より小さなサイズのディスクに対応したディスクカートリッジを提供する場合、ロック機構のために利用可能な面積が相対的に減少し、ロック機構自体のスペースを確保することができない。
さらに、シャッターが開放されたまま放置されることを防ぐために、シャッターを閉塞する方向にバネで付勢する態様も考えられるが、ロック機構を有さないとディスクカートリッジを携帯する際、何らかの外力でシャッターの位置がずれやすく、埃および異物の侵入が起こりやすくなり、また、このようなバネとロック機構との両方を設けると、部品点数が増加し、ディスクカートリッジのコストを増加させることになる。
また、シャッターの移動方向をガイドするガイド溝は、カートリッジ本体の底面に設けられており、シャッターに設けられた抜け止め突起の少なくとも一つは、ガイド溝に係合する。カートリッジ本体の底面には、ガイド溝だけでなく、開口部も設けられているため、シャッターは、開口部の周辺を動くことになる。したがって、開口部の周辺は平面であることが必要である。また、開口部の外周部は、開口部に挿入される記録再生ヘッドのレンズ駆動部との干渉を避けるために必要十分なスペースが必要であるが、開口部の外側にガイド溝を形成するため、カートリッジ本体の幅が大きくなってしまう。
また、ガイド溝をより内側に配置すると、開口部と連通してしまう。この場合、シャッターが開口部を閉塞する場合でもガイド溝を通じて埃が侵入する経路が形成されてしまう。
さらに、ディスクのサイズが小さくなるほど、ディスク駆動装置の記録再生ヘッドのサイズが相対的に大きくなるので、開口部近傍の基準面に対するメカシャーシの設置面は記録再生ヘッドと干渉するようになる。これを避けるためには記録再生ヘッドをカートリッジ本体から離して下へ下げて配置する必要があり、それによって、ディスク駆動装置の厚さが厚くなってしまう。
本発明は上記課題を解決し、簡単な構造でコストを低減しつつ防塵性を高め、小型化することが可能なディスクカートリッジを提供することを目的とする。
【発明の開示】
本発明によるディスクカートリッジは、ディスクを回転可能に収納するディスク収納部を有するカートリッジ本体であって、前記ディスクの一部を露出する開口部が設けられたカートリッジ本体と、前記開口部を開放または閉塞するように移動可能なシャッター部材と、前記シャッター部材が前記開口部を開放しないように付勢するシャッター戻しバネと、前記シャッター部材をロックするロック部とを備える。
前記ロック部は、前記シャッター戻しバネを用いてロックされてもよい。
前記カートリッジ本体は、第１のケースと第２のケースとを含み、前記第１のケースと前記第２のケースとを一体に組み合せることによって、ディスク収納部が形成されてもよい。
前記カートリッジ本体には、前記ディスクカートリッジが前記ディスクを駆動するためのディスク駆動装置に装着された場合に、前記ディスク駆動装置に対する前記ディスクカートリッジの位置を規定するための位置決め穴が設けられてもよい。
前記カートリッジ本体は、第１のケースと第２のケースとを含み、前記第１のケースと前記第２のケースとを一体に組み合せることによって、ディスク収納部が形成され、前記位置決め穴は、前記第１のケースおよび前記第２のケースを貫通しないように設けられてもよい。
前記シャッター部材は、前記シャッター戻しバネと係合するバネ係合部を含み、前記シャッター部材が開口部を閉塞する閉塞状態において、前記シャッター部材と前記シャッター戻しバネとは、前記シャッター部材が移動する方向とは略直角に前記バネ係合部内で摺動してもよい。
前記カートリッジ本体には、前記シャッター部材が開口部を閉塞する閉塞状態において、前記シャッター部材が移動する方向とは略直角に前記シャッター戻しバネが係合するロック凹部が設けられてもよい。
前記カートリッジ本体の前記シャッター部材と係合する側面には、前記カートリッジ本体の外部に開放された凹状の案内溝部が設けられ、前記シャッター戻しバネの一方の端部は、前記案内溝部に沿って移動してもよい。
前記シャッター戻しバネの前記一方の端部と当接する前記バネ係合部の面に、前記シャッター戻しバネの前記一方の端部を前記ロック凹部に移動する傾斜面が設けられてもよい。
前記第１のケースには、前記シャッター部材の移動をガイドするとともに前記シャッター部材を保持するための上側係合溝が設けられ、前記第２のケースには、前記シャッター部材の移動をガイドするとともに前記シャッター部材を保持するための下側係合溝が設けられてもよい。
前記シャッター部材には、前記上側係合溝と係合する上側係合突部と、前記下側係合溝と係合する下側係合突部とが設けられてもよい。
前記下側係合溝は、前記開口部と、所定の距離だけ離れて設けられてもよい。
前記開口部の外周部を連結する連結部が前記第２のケースに設けられ、前記連結部は、前記ディスクを駆動するためのディクス駆動装置が前記ディスクを駆動する場合の前記ディスクの面と略同一面の下面と、前記開口部から前記カートリッジ本体の端部に前記開口部における面と同一面を前記シャッター部材を閉塞する方向に延在した上面とを有し、前記第１のケースの側面に切欠部が設けられ、前記第１のケースの前記切欠部と前記連結部の前記上面とによって溝が形成されてもよい。
前記第２のケースには、前記シャッター部材の開放範囲を規制する開放範囲規制部が設けられ、前記ディスクを駆動するディスク駆動装置が前記第２のケースを載置する前記第２のケースの主面に、前記開放範囲規制部に前記開口部を介して対向する前記シャッター部材が係合する角部近傍に、前記主面より凹んだ平面の保持部が設けられてもよい。
前記ディスクカートリッジは、前記ロック部材のロックを解除するロック解除部をさらに備えてもよい。
前記ロック解除部は、前記シャッター戻しバネと接触してもよい。
前記ロック解除部は、前記ディスクを駆動するためのディスク駆動装置により押圧される押圧部とを備え、前記シャッター部材が開放または閉塞する方向に移動可能に設けられてもよい。
前記ロック解除部は、前記シャッター部材が閉塞かつロックされた状態で、前記押圧部が押圧されることにより、ロック解除状態とし、その後、前記シャッター部材と一体となって開放位置まで前記シャッター部材とともに移動してもよい。
【図面の簡単な説明】  図１は、本発明の実施の形態１によるディスクカートリッジの分解斜視図である。
図２は、実施の形態１における上ハーフの内面を中心に示した斜視図である。
図３は、実施の形態１における下ハーフの外面を中心に示した斜視図である。
図４は、実施の形態１におけるシャッターの斜視図である。
図５は、実施の形態１における下ハーフの内面を示す要部平面図である。
図６は、実施の形態１における下ハーフの内面を示す平面図である。
図７は、実施の形態１におけるディスクカートリッジの要部断面図である。
図８は、実施の形態１において、ディスクカートリッジの別の要部断面図である。
図９は、実施の形態１において、シャッターが開口部を閉塞した状態のディスクカートリッジの上ハーフの外面を中心に示した斜視図である。
図１０は、実施の形態１において、シャッターが開口部を閉塞した状態のディスクカートリッジの下ハーフの外面を中心に示した斜視図である。
図１１は、実施の形態１において、シャッターが開口部を開放した状態のディスクカートリッジの上ハーフの外面を中心に示した斜視図である。
図１２は、実施の形態１において、シャッターが開口部を開放した状態のディスクカートリッジの下ハーフの外面を中心に示した斜視図である。
図１３は、実施の形態１におけるディスクカートリッジを装着するホルダの要部斜視図である。
図１４は、実施の形態１において、ロック解除動作を説明する要部平面図である。
図１５は、実施の形態１において、ロック解除動作を説明する要部平面図である。
図１６は、実施の形態１において、ロック解除動作を説明する要部平面図である。
図１７は、実施の形態１において、ロック解除動作を説明する要部平面図である。
図１８は、実施の形態１において、ロック解除動作を説明する要部平面図である。
図１９は、実施の形態１において、ディスクカートリッジが装着された状態を説明する要部部分断面図である。
図２０は、本発明の実施の形態２によるディスクカートリッジの分解斜視図である。
図２１は、実施の形態２におけるシャッターが開口部を閉塞した状態のディスクカートリッジの上ハーフの外面を中心に示した斜視図である。
図２２は、実施の形態２におけるシャッターが開口部を閉塞した状態のディスクカートリッジの下ハーフの外面を中心に示した斜視図である。
図２３は、実施の形態２におけるシャッターの斜視図である。
図２４は、実施の形態２におけるシャッター近傍の構成を説明する要部斜視図である。
図２５は、実施の形態２における下ハーフの内面を中心に示した斜視図である。
図２６は、実施の形態２におけるシャッターが開口部を開放する動作を説明する要部平面図である。
図２７は、実施の形態２におけるシャッターが開口部を開放する動作を説明する要部平面図である。
図２８は、実施の形態２におけるシャッターが開口部を開放する動作を説明する要部平面図である。
図２９は、実施の形態２におけるシャッターが開口部を開放する動作を説明する要部平面図である。
【発明を実施するための最良の形態】  以下、本発明の実施の形態について図面を参照しながら説明する。
（実施の形態１）
図１は、本発明の実施の形態１によるディスクカートリッジ１を示す分解斜視図である。
ディスクカートリッジ１は、ディスク２を回転可能に収納するディスク収納部２１を有し、ディスク２の一部を露出する開口部４ａが設けられたカートリッジ本体１Ａと、開口部４ａを開放または閉塞するように移動可能なシャッター５と、シャッター５が開口部４ａを開放しないように付勢するシャッター戻しバネ６と、シャッター５をロックするロック部８（図５を参照して後述する）とを備える。
ディスク駆動装置（図示せず）には、ディスクカートリッジ１を図１に示された−Ｙ方向に挿入し、ディスク駆動装置にディスクカートリッジ１を装着した後、ディスク駆動装置は、ディスク２を駆動する。具体的には、ディスク駆動装置は、ディスク２に情報を記録するか、または、ディスク２に記録された情報をディスク２から再生する。
カートリッジ本体１Ａは、上側のケースとして機能する上ハーフ３と、下側のケースとして機能する下ハーフ４とを含み、上ハーフ３と下ハーフ４とを一体に組み合わせることによって、ディスク収納部２１が形成される。
図１では、上ハーフ３の外面および下ハーフ４の内面が図示されている。
下ハーフ４には、シャッター５が取り付けられている。シャッター５は、ディスクカートリッジ１をディスク駆動装置（図示せず）に挿入する方向と平行なＹ方向および−Ｙ方向に移動する（具体的には、スライドする）ことによって、開口部４ａを開放または閉塞する。以下の説明において、シャッター５が開口部４ａを開放する位置をシャッター５の開放位置または単に開放位置とよび、シャッター５が開口部４ａを閉塞する位置をシャッター５の閉塞位置または単に閉塞位置とよぶ。
上ハーフ３および下ハーフ４は、いずれも、ディスク駆動装置（図示せず）に挿入する先端部に、大きな曲率（Ｒ）の曲線形状を有している。
シャッター戻しバネ６は、その両端がディスク２の厚み方向に対して平行方向で、かつ、同じ方向に折り曲げたねじりコイルバネである。シャッター戻しバネ６は、シャッター５が開口部４ａを開放する位置の近傍に設けられており、シャッター戻しバネ６は、シャッター５が開口部４ａを閉塞する方向（すなわち、−Ｙ方向）に移動するようにシャッター５に付勢する。
シャッター５の先端はシャッター押さえ７によって浮かないよう押さえられている。
下ハーフ４には、スイッチ８が設けられ、スイッチ８を切り換えることによって、ディスク２が記録可能な状態であるか否かを選択することができる。
図２は、上ハーフ３の内面を中心に示した斜視図である。
シャッター５が取り付けられた下ハーフ４の内面の１辺に対向する、上ハーフ３の１辺には、上ハーフ３のディスク収納部境界壁３ｃから外側に延在する庇部が設けられている。この庇部には、側面切欠部３ａが、下ハーフ４と対向する面の一部を切り欠く形態で、シャッター５の閉塞位置の近傍のコーナーに設けられている。この構成によって、側面切欠部３ａと下ハーフ４の突出部とによって、ディスクカートリッジ１の側面に側面溝が形成される。また、この庇部には、シャッター５が取り付けられた下ハーフ４の内面の１辺に対向する、上ハーフ３の１辺に沿って、上側係合溝部３ｂが設けられている。
図３は、下ハーフ４の外面を中心に示した斜視図である。
ディスクカートリッジ１がディスク駆動装置（図示せず）に装着される場合、ディスク駆動装置の記録再生ヘッドおよびスピンドルは、ディスク２に記録するか、または、ディスク２を再生するために開口部４ａに挿入される。開口部４ａの最外周部を連結する連結部４ｂは、開口部４ａと実質的に同じ幅を有し、下ハーフ４の最も厚い部分よりも薄く、かつ、下ハーフ４の外面の一部を切り欠いた形態の厚さを有している。
シャッター５が移動する側面に近い下ハーフ４の外面の縁に、下側係合溝部４ｃが設けられている。下側係合溝部４ｃは、開口部４ａと連通しないように、開口部４ａと所定の距離だけ離れている。
下ハーフ４には、開口部４ａを開放した場合のシャッター５の開放範囲を規制する開放範囲規制部４１が設けられている。開放範囲規制部４１に対向する下ハーフ４の両端辺近傍にはディスク駆動装置がカートリッジ１を保持するための保持部４ｄが設けられる。
また、ディスクカートリッジ１がディスク駆動装置（図示せず）に挿入される方向の終端縁付近（すなわち、開放範囲規制部４１の近傍）には位置決め穴４ｅが設けられている。位置決め穴４ｅは、ディスクカートリッジ１がディスク駆動装置に装着された場合に、そのディスク駆動装置に対するディスクカートリッジ１の位置を規定するために使用される。
ディスクカートリッジ１がディスク駆動装置（図示せず）に挿入される方向の最先端部のコーナーには、前縁と側面に切り欠けられたコーナー凹部４ｆが設けられている。コーナー凹部４ｆは、下ハーフ４における保持部４ｄより下ハーフ４の外周側のコーナーに設けられ、ディスク駆動装置にカートリッジ１を装着する際の高さ方向に関する基準面として使用される。保持部４ｄは、ディスクカートリッジ１の下ハーフ４の主面より凹んだ平面を有している。
図４は、シャッター５の構造を示す斜視図である。
シャッター５は、シャッター５の閉塞位置で開口部４ａを閉塞する平板部分５ｆと、平板部分５ｆの一端から略コ字状に屈曲されたコ字状部分５ｇとを含む。シャッター５は、下ハーフ４を挟み込むように組み立てられる（詳細は、後述する）。
コ字状部分５ｇの上面の一端には上側係合突部５ａが設けられ、平板部分５ｆの上面には、下側係合突部５ｂが設けられている。上側係合突部５ａは、下側係合突部５ｂと対角の位置関係を有するように設けられている。
下側係合突部５ｂの上側にバネ係合部５ｃがコ字状部分５ｇの上側面より低い位置に形成され、コ字状部分５ｇの上側面とバネ係合部５ｃの上側とで切欠部５ｄが形成されている。シャッター戻しバネ６は、バネ係合部５ｃのバネ当接面５ｈに当接する。
コ字状部分５ｇの上側係合突部５ａの側端面は、オープナ当接面５ｅであり、オープナ当接面５ｅにディスク駆動装置（図示せず）のシャッターオープナが当接することによってシャッター５は開口部４ａを開放するように移動する。
図５は、下ハーフ４の内面を示す要部平面図である。
下ハーフ４の内面には、図３に示したように下ハーフ４の外面に設けられた下側係合溝部４ｃの裏側に位置するように、ロック凹部４ｇとバネ摺動面４ｈとを設けた盛り上げ部４ｐを形成し、バネ摺動面４ｈと平行にバネガイドリブ４ｉが設けられる。また、シャッター５は斜面部４ｋの位置で、下側係合突部５ｂを下側係合溝部４ｃにはめこむように挿入して組み立てられる。
シャッター戻しバネ６は、バネガイドリブ４ｉの上に位置するように、その一端をバネ支持部４ｊに支持され、他端をシャッター５のバネ係合部５ｃのバネ当接面５ｈに当接している。
なお、シャッター戻しバネ６では、ロック凹部４ｇの範囲に存在する先端部６ａおよびバネ支持部４ｊと係合する先端部６ｂは、上ハーフ３および下ハーフ４の厚み方向に同じ方向に垂直に屈曲されている。
図５に示されるように、シャッター戻しバネ６の先端部６ａおよびロック凹部４ｇとによって、ロック部８は、シャッター５をロックする。
通常、ディスクカートリッジ１が装着されるディスク駆動装置（図示せず）に載置される面（すなわち、カートリッジ本体１Ａの底面）のコーナー部付近に配置される位置決め穴４ｅは、バネ支持部４ｊのすぐ横に配置されており、位置決め穴４ｅは、ディスク駆動装置の位置決めピンが挿入されるのに十分な深さを有し、かつ、その上面は塞がれており、バネガイドリブ４ｉと同一面に位置決め穴４ｅが設けられている。バネガイドリブ４ｉと上ハーフ３の内面とは所定の間隙を形成し、シャッター戻しバネ６はその間隙の間を移動する。ここで、位置決め穴４ｅは、上ハーフ３および下ハーフ４を貫通しないように設けられているが、間隙は、位置決め穴４ｅと連通していてもよい。
図６は、下ハーフ４の内面を示す平面図である
図６には、下ハーフ４にシャッター５とシャッター戻しバネ６とを組み込んだ状態が示されている。
シャッター５はシャッター戻しバネ６によって−Ｙ方向に付勢され、開口部４ａを閉塞している。バネ係合部５ｃは、シャッター戻しバネ６の先端部６ａがＸ軸方向に摺動可能なように所定の幅を有するように設けられており、バネ当接面５ｈはカートリッジの外側に向かって傾斜するように形成されている。
したがって、シャッター５が開口部４ａを閉塞する場合、シャッター戻しバネ６のバネ当接面５ｈと当接する先端部６ａは自ら広がろうとする反力で−Ｘ方向に移動し、下ハーフ４に形成されたロック凹部４ｇに侵入しているので、Ｙ方向に移動できない位置にあり、シャッター５は開口部４ａを閉塞した位置でロックされる。このように、シャッター戻しバネ６の先端部６ａが、ロック凹部４ｇに係合することよって、シャッター５はロックされている。
先端部６ａの長さは、盛り上げ部４ｐの厚みよりも長いため、カートリッジ本体１Ａの側面に露出しており、側面から押圧してロック凹部４ｇの範囲から先端部６ａが出る位置までディスク２側へ移動させれば、先端部６ａはバネ摺動面４ｈに沿って移動可能となる。その結果、シャッター５を開放方向（Ｙ方向）へスライドさせて、開口部４ａを開放することが可能になる。
このような構成により、本実施の形態によれば、新たにシャッターロック機構を設けることなく、シャッター戻しバネ６を用いて、シャッター５をロックすることが可能となると共に、従来、新たにシャッターロック機構を設けていたディスクカートリッジの先端側を、本実施の形態のように大きく切り欠いて曲線形状にすることも可能となる。
図７は、ディスクカートリッジ１の要部断面図である。図７では、上側係合突部５ａがガイドされている状態が示されている。
図７において、ディスク収納部２１に収納されたディスク２は、ディスク駆動装置（図示せず）のスピンドルにチャッキングされ、ディスクカートリッジ１の厚さのほぼ中央の高さまで持ち上がった位置にある。シャッター５は上ハーフ３の側面切欠部３ａの中で、上ハーフ３と下ハーフ４の連結部４ｂとによって挟まれており、上側係合突部５ａは、上側係合溝部３ｂに挿入されている。したがって、シャッター５は、Ｘ軸方向およびＺ軸方向共に拘束されており、紙面に垂直なＹ軸に沿ってＹ方向または−Ｙ方向に移動可能であるようにガイドされている。
上側係合突部５ａは、シャッター５のロックが開放される際、開口部４ａの位置を通過するが、上側係合突部５ａは、上ハーフ３の厚さの中でガイドされているため、連結部４ｂの下面をディスク２の下面と略同じ高さにすることができ、ディスクカートリッジ１の厚みを大幅に増大することなく、開口部４ａの外周部に大きな空間を設けることができる。
記録再生ヘッド１０のレンズ１２を駆動するレンズ駆動部１１は開口部４ａに挿入され、ディスク２の最外周位置にある時でも、レンズ駆動部１１はディスクカートリッジ１と干渉することなく、十分なスペースが確保される。
また、シャッター５は、側面切欠部３ａからシャッター５が開口部４ａを開放する方向に延在する庇部の内部でガイドされているので、シャッター５が上ハーフ３の外面に露出することがない。したがって、上側係合突部５ａと上側係合溝部３ｂとの係合が外れることを防ぐことができ、シャッター５が開口部４ａを閉塞する機能を損ねことはない。その結果ディスクカートリッジ１に収納されているディスク２を傷、指紋または埃等の汚染を抑制することができる。また、ディスクカートリッジ１の外面の外見上のデザインを損ねることもない。
図８は、ディスクカートリッジ１の別の要部断面図である。図８では、下側係合突部５ｂがガイドされている状態が示されている。
図８において、シャッター５の下側係合突部５ｂは下側係合溝部４ｃにガイドされており、下側係合突部５ｂとバネ係合部５ｃとによって下ハーフ４を挟み込んだ状態でシャッター５はＸ軸方向およびＺ軸方向に拘束されている。下側係合突部５ｂは開口部４ａの位置を通過しないので、図に示すように下ハーフ４においてガイド可能である。
図９は、シャッター５が開口部４ａを閉塞した状態のディスクカートリッジ１の上ハーフ３の外面を中心に示した斜視図であり、図１０は、シャッター５が開口部４ａを閉塞した状態のディスクカートリッジ１の下ハーフ４の外面を中心に示した斜視図である。
図１１は、シャッター５が開口部４ａを開放した状態のディスクカートリッジ１の上ハーフ３の外面を中心に示した斜視図であり、図１２は、シャッター５が開口部４ａを開放した状態のディスクカートリッジ１の下ハーフ４の外面を中心に示した斜視図である。
図９〜図１２に示すように、ディスクカートリッジ１のシャッター５が係合する側面において、シャッター５の切欠部５ｄから、盛り上げ部４ｐに覆われることなく露出するシャッター戻しバネ６の先端部６ａに接触可能になっている。
また、シャッター５の閉塞位置では、開口部４ａは完全に遮蔽され、下側係合溝部４ｃも開口部４ａとは連通していないので埃の侵入経路はなく、極めて防塵性の高い構成となっている。
次に、本実施の形態のディスクカートリッジ１が開口部４ａを開放する動作を説明する。
図１３〜図１８を参照して、実施の形態１におけるディスクカートリッジ１を装着するホルダ２０の要部構成を示す。
図１３は、実施の形態１におけるディスクカートリッジを装着するホルダの要部斜視図である。
ディスクカートリッジ１は、スピンドルおよび記録再生ヘッドが組み込まれたメカシャーシ（図示せず）の上部に配置されたホルダ２０に挿入される。
カートリッジ１とシャッター５とが係合する側のホルダ２０の側面には、ロック解除レバー２１を所定角度回動する回動軸２１ａと、ディスクカートリッジ１を保持する保持バネ２２と、ロック解除レバー２１をホルダ２０の外側方向に回動するように軽く付勢する付勢バネ２３とが設けられている。ここでは、付勢バネ２３は板バネである。
保持バネ２２は、ディスクカートリッジ１がホルダ２０の奥まで挿入された時に、ディスクカートリッジ１の保持部４ｄに係合するように配置される。
ロック解除レバー２１は、ディスクカートリッジ１の挿入方向の奥の端部に配置され、ディスクカートリッジ１の側面に当接するカートリッジ当接部２１ｂと、ディスクカートリッジ１の挿入方向の手前側の端部に配置され、シャッター戻しバネ６を押圧するロック解除部２１ｃとを備えている。
ロック解除レバー２１を回動することによって、カートリッジ当接部２１ｂおよびロック解除部２１ｃのいずれかがホルダ２０の内部に侵入するよう配置されている。
付勢バネ２３は、ロック解除部２１ｃがホルダ２０の外側に退避するようにロック解除レバー２１を付勢している。また、ホルダ２０の内側面には、ディスクカートリッジ１の側面に形成された側面切欠部３ａの高さに、オープナ爪２０ａが設けられている。
図１４〜図１８は、ディスクカートリッジ１のロック解除動作を示す破断要部平面図である。図１４〜図１８では、内部の動作が分かりやすいように、上ハーフ３を取り除いた状態で図示している。
ロック部８は、シャッター５が開口部４ａを開放しないようにシャッター戻しバネ６を用いてシャッター５をロックしている。
始めに、図１４に示されるように、ディスクカートリッジ１をホルダ２０に挿入し始める。ロック解除部２１ｃはホルダ２０の外側に退避しているので、ディスクカートリッジ１の挿入を妨げず、カートリッジ当接部２１ｂにディスクカートリッジ１の先端が当接するまで挿入される。この時、オープナ爪２０ａは側面切欠部３ａに侵入し始めている。
次に、図１５に示されるように、カートリッジ当接部２１ｂがディスクカートリッジ１の側面に当接してホルダ２０の外側へ押し出されることで、ロック解除レバー２１が回動し、他端のロック解除部２１ｃがシャッター５の切欠部５ｄに挿入される。この時点では、オープナ爪２０ａはまだシャッター５のオープナ当接面５ｅには到達していない。
次いで、図１６に示されるように、オープナ爪２０ａがシャッター５のオープナ当接面５ｅに当接するとともに、ロック解除部２１ｃがシャッター戻しバネ６の先端部６ａを内側に押圧してロックを解除する。
ディスクカートリッジ１をさらに挿入すると、図１７に示すように、シャッター５はオープナ爪２０ａによって固定され、カートリッジ本体１Ａだけが前進して、開口部４ａが開放され、シャッター戻しバネ６はシャッター５に押されて移動する。なお、この状態では、保持バネ２２はディスクカートリッジ１の側面に押圧されている。
次いで、図１８に示されるように、ディスクカートリッジ１は、ホルダ２０の奥まで挿入され、保持バネ２２が保持部４ｄでディスクカートリッジ１を保持して挿入が完了する。シャッター５は完全に開放位置にあり、記録再生ヘッドおよびスピンドルが開口部４ａに挿入可能となり、ディスク２に記録したり、または、ディスク２から再生することができる。
なお、シャッター戻しバネ６は、位置決め穴４ｅの上部にまで移動できるように構成しているので、シャッター戻しバネ６の移動範囲内に位置決め穴４ｅを配置する構成であっても、十分な大きさのシャッター戻しバネ６を用いることができ、シャッター５に対する押圧力を自由に調整することができる。
なお、ディスクカートリッジ１をホルダ２０から取り出す場合、さらにイジェクト機構を設けて、保持バネ２２による保持を解除すれば、シャッター戻しバネ６の反力でディスクカートリッジ１が押し出される。このように、ホルダ２０は、シャッターロック解除装置として機能する。
図１９は、ディスクカートリッジ１がディスク駆動装置３５に装着された状態を示す模式図である。
ディスクカートリッジ１は、ディスク駆動装置３５のメカシャーシ３０の上に設置され、メカシャーシ３０の設置面３０ａは、ディスクカートリッジ１の下ハーフ４の主面（一般的には位置決め穴４ｅ近傍）を基準面として支持し、ディスクカートリッジ１の高さ方向の位置決めが行われる。
しかしながら、シャッター５が開口部４ａを開放する移動方向のディスクカートリッジ１の側面近傍に一対の設置面３０ａを設けるだけでは、ディスクカートリッジ１の片側だけの基準面でディスクカートリッジ１を規定することになるため、好ましくない。したがって、ディスク駆動装置３５の記録再生ヘッド１０の移動範囲にわたって基準面に対応した設置面を備えることが必要である。
ところが、本実施の形態のように開口部４ａの近傍からＲ状に突出するＲ状突出部を有するディスクカートリッジ１では、Ｒ状突出部の近傍の基準面に対応して、メカシャーシ３０からカートリッジ１に突出させた設置面を設けると、記録再生ヘッド１０が基準面の突出に対して当接し、ディスクカートリッジ１を小型化でき難い課題が生じる。従って、開口部４ａを介して設置面３０ａに対向する部分を基準面とすることは、Ｒ状に突出するカートリッジ１ではスペース上で極めて困難である。
そこで、下ハーフ４の主面から欠落した平面部を有するコーナー凹部４ｆを設けることにより、コーナー凹部４ｆに対応する設置面３１をより高い位置に配置できるため、記録再生ヘッド１０とディスクカートリッジ１の隙間を最小限にでき、ディスク駆動装置を薄型化することが可能となるとともに、コーナー凹部４ｆを設置面３１ａで支持することにより、ディスク２を駆動するためのディスク駆動装置３５での設置が確実にでき、ディクス２の記録再生動作精度を保証できる。
また、コーナー凹部４ｆは、ディスクカートリッジ１の挿入方向に対し直交するように設けられているので、設置面３１は、ディスクカートリッジ１の先端側と側面側のいずれの方向から形成してもよい。
なお、本実施の形態ではコーナー凹部４ｆを２箇所設ける構成で説明したが、ディスク駆動装置に挿入する方向の先端部側において、シャッター５の平板部分５ｆと係合する側面近傍は一般的にスペースの余裕があるため、この部分にコーナー凹部４ｆを設けてもよい。ただし、本実施の形態のようにコーナー凹部４ｆを２箇所設ける構成の方が、記録再生ヘッド等の配置および移動に対する自由度が向上することができるため好ましい。
なお、上記実施の形態では、ディスクカートリッジがＲ状突出部を有する形態を説明したが、本発明のディスクカートリッジは、ディスクカートリッジが矩形形状であっても適用できること当然である。また、上記実施の形態では、片面のみに開口部を有するディスクカートリッジを例に採り説明したが、両面に開口部を備えるディスクカートリッジであっても、カートリッジ本体の側面に係合する上側係合突部、下側係合突部等を介して両面にシャッターを備えれば、本発明を適用できる。
さらに、上記実施の形態においては付勢バネとして板バネを使用したが、例えばカートリッジ当接部とメカシャーシとの間を螺旋バネ等で付勢してもよい。付勢手段は適宜設定できる。
（実施の形態２）
図２０は、本発明の実施の形態２によるディスクカートリッジ１を示す分解斜視図である。
ディスクカートリッジ１０１は、ロック解除部材１０９をさらに備える点を除いて、実施の形態１において図１を参照して説明したディスクカートリッジ１と実質的に同様の構成を有している。したがって、説明を簡略化する目的で、実施の形態１において図１を参照して説明したディスクカートリッジ１と同じ構成についての説明を省略する。なお、以下の説明において、ディスクカートリッジ１０１の構成要素のうち、ディスクカートリッジ１と対応する構成要素は、実施の形態１において説明したディスクカートリッジ１の構成要素と同じ名称で呼び、かつ、ディスクカートリッジ１０１の構成要素のうち、ディスクカートリッジ１と対応する構成要素の参照符号は、実施の形態１において説明したディスクカートリッジ１の構成要素の参照符号と下２桁の数字が同じであることに留意されたい。
図２１は、シャッター１０５が開口部１０４ａを閉塞した状態のディスクカートリッジ１０１の上ハーフ１０３の外面を中心に示した斜視図である。
図２２は、シャッター１０５が開口部１０４ａを閉塞した状態のディスクカートリッジ１０１の下ハーフ１０４の外面を中心に示した斜視図である。
図２１および図２２に示されるように、ディスクカートリッジ１０１のシャッター１０５が係合する側面において、シャッター１０５の切欠部１０５ｄから、盛り上げ部１０４ｐに覆われずに露出するシャッター戻しバネ１０６の先端部１０６ａをロック解除部材１０９が隠蔽している。したがって、カートリッジ本体１０１Ａの外部からディスク２への間隙は基本的にはコ字状上面部分１０５ｇの板厚が通過可能は幅しかない。また、シャッター１０５の閉塞位置では、開口部１０４ａは完全に遮蔽され、下側係合溝部１０４ｃも開口部１０４ａと連通していないので埃の侵入経路はなく、極めて防塵性の高い構成となっている。
図２３は、シャッター１０５の構造を示す斜視図である。
シャッター１０５の閉塞位置において、開口部１０４ａを閉塞する平板部分１０５ｆの一端には、例えば金属板を折り曲げ加工等により略コ字状に屈曲されたコ字状側壁部分１０５ｉとコ字状上面部分１０５ｇとが設けられ、下ハーフ１０４を挟み込むように組み立てられる。
コ字状上面部分１０５ｇの上面の一端には上側係合突部１０５ａが設けられ、平板部分１０５ｆの上面には、下側係合突部１０５ｂが設けられている。上側係合突部１０５ａは、上側係合突部１０５ａと対角の位置関係を有するように設けられている。
下側係合突部１０５ｂの上側にバネ係合部１０５ｃがコ字状上面部分１０５ｇの上側の面より低い位置に形成され、コ字状上面部分１０５ｇの上側面とバネ係合部１０５ｃの上側とで切欠部１０５ｄが形成されている。
コ字状上面部分１０５ｇの上側係合突部１０５ａの側端面は、解除部材当接面１０５ｅである。解除部材当接面１０５ｅには、ロック解除部材１０９を介してディスク駆動装置（図示せず）のシャッターオープナ爪１２０ａが当接することによって、シャッター１０５が開口部１０４ａを開放するように移動する（詳細は後述する）。
また、コ字状上面部分１０５ｇの解除部材当接面１０５ｅに対してシャッター戻しバネ１０６に対向する端面１０５ｊは、シャッター戻しバネ１０６の先端部１０６ａに係合する。
図２４は、実施の形態２におけるシャッター近傍の構成を説明する要部斜視図である。
図２４を参照して、シャッター１０５、シャッター戻しバネ１０６およびロック解除部材１０９の配置関係を説明する。
ロック解除部材１０９は、例えば、ディスク駆動装置（図示せず）に設けられるシャッターオープナ爪１２０ａと当接するオープナ当接部１０９ａと、シャッター戻しバネ１０６の先端部１０６ａと係合する接触部１０９ｂと、オープナ当接部１０９ａと接触部１０９ｂとを連接する連接部１０９ｃとを備える。
連接部１０９ｃは、コ字状側壁部分１０５ｉ、コ字状上面部分１０５ｇおよびバネ係合部１０５ｃによって形成された空間にそれぞれ摺動可能に組み込まれる。
なお、連接部１０９ｃのＺ方向の厚みは、オープナ当接部１０９ａおよび接触部１０９ｂよりも薄く形成することでディスクカートリッジ１０１のＺ方向の厚みを薄くすることができ、埃等がカートリッジ本体１０１Ａの内部に入り込んで、ディスク１０２を汚染することから抑制できる。また、ロック解除部材１０９のＹ方向への摺動移動距離を制御することもできる。また、接触部１０９ｂのシャッター戻しバネ１０６の先端部１０６ａに係合する係合面は、バネ係合部１０５ｃの傾斜部と逆向きの傾斜が形成されている。
次に、実施の形態２のディスクカートリッジ１０１におけるシャッター１０５を開放する動作を、図２５〜図２９を参照して説明する。
図２５は、実施の形態２におけるシャッター１０５が開口部１０４ａを閉塞した状態のディスクカートリッジ１０１の下ハーフ１０４の内面を示す要部斜視図である。ここで、ロック部１０８は、シャッター１０５が開口部１０４ａを開放しないようにシャッター戻しバネ１０６を用いてシャッター１０５をロックしている。
図２５には、下ハーフ１０４、シャッター１０５、シャッター戻しバネ１０６、ロック解除部材１０９それぞれの配置が示されている。
これらを実際に組み込む際には、ロック解除部材１０９をコ字状上面部分１０５ｇ、コ字状側壁部分１０５ｉ、バネ係合部１０５ｃのそれぞれによって形成される空間に沿って配置し、シャッター１０５に設けられた下側係合突部１０５ｂを下ハーフ１０４に設けられた下側係合溝部１０４ｃにガイドさせながらシャッター１０５を下ハーフ１０４に装着し、その後、シャッター戻しバネ１０６をバネ係合部１０５ｃのバネ当接面１０５ｈとバネ支持部１０４ｊとの間にシャッター戻しバネ１０６を付勢しながら組み込み、図２５に示した状態に組み立てられる。
こうすることで、下ハーフ１０４に、シャッター１０５およびロック解除部材１０９を組み込み、さらに、シャッター戻しバネ１０６を組み込むと、シャッター１０５は、シャッター戻しバネ１０６の反力により閉塞位置まで押戻され、同時にロック解除部材９も押戻されて、オープナ当接部１０９ａがシャッター閉塞方向に突出した状態で係止する。すなわち、この状態でシャッター１０５を開放方向に移動しようとしても、シャッター戻しバネ１０６の先端部１０６ａがシャッター係合部１０５ｃと盛り上げ部１０４ｐとの間に介在しているため、この先端部１０６ａが開放方向の移動を阻止するため、シャッター１０５が不要な外力等で開放してしまい、ディスク１０２に傷、埃および／または人の手の指紋等の異物が付着することを完全に抑制することができる。
この状態からシャッター１０５を開放させる動作の一例を説明する。
図２６〜図２９は、例えばトレイに実施の形態２のディスクカートリッジ１０１を載置し、ディスクカートリッジ１０１をディスク駆動装置のホルダ１２０に装着する過程を、上ハーフ１０３とディスク１０２とを取り除いて示した要部破断平面図である。
ディスクカートリッジ１０１の挿入を開始する直前の状態を示す図２６から、シャッター１０５が開口部１０４ａを開放した状態を示す図２９を参照して、説明する。
ディスクカートリッジ１０１をトレイ（図示せず）に載置すると、図２６に示すように、ディスク駆動装置（図示せず）のホルダ１２０に設けられたオープナ爪１２０ａが、上ハーフ１０３と下ハーフ１０４との間隙に侵入する前の状態となる。この状態では、シャッター戻りバネ１０６の付勢力が接触部１０９ｂの係合面に作用するため、ロック解除部材１０９はオープナ当接部１０９ａの方に押圧され、解除部材当接面１０５ｅとオープナ当接部１０９ａとの間に距離Ｓだけの間隙を有することになる（この間隙部分には当然連接部１０９ｃが見えている）。
ディスクカートリッジ１０１の挿入を距離Ｓだけ進行させると、図２７に示すように、オープナ当接部１０９ａと解除部材当接面１０５ｅとが当接する。接触部１０９ｂの当接面はディスク１０２の方に傾いた傾斜を有しているため、距離Ｓだけロック解除部材１０９が押し出されると、当接面が先端部１０６ａをディスク１０２の方向（すなわちＸ方向）に押圧し、先端部１０６ａがバネ当接面１０５ｈに沿って移動し、シャッター１０５のロックが解除される。
従って、距離Ｓは先端部１０６ａが当接面に沿ってバネ摺動面１０４ｈに達する距離以上であることが必要であれ、距離Ｓの長さは当接面の斜面の角度と相関性があり、適宜最適値に設定できる。
ディスクカートリッジ１０１の挿入を更に進行させると、先端部１０６ａが介在することによるシャッター１０５のロックは解除されているため、オープナ爪１２０ａがオープナ当接部１０９ａを介して解除部材当接部１０５ｅを押圧し、シャッター戻しバネ１０６を変形させながら図２８に示すように、シャッター１０５の平板部分１０５ｆによって閉塞していた開口部１０４ａが開放される。
なお、オープナ当接部１０９ａの面積は解除部材当接面１０５ｅの面積よりも大きいため、ロック解除部材１０９はシャッター１０５と一体的に移動する。また、シャッター戻しバネ１０６は変形によりディスク１０２の方（すなわちＸ方向）に移動するが、ディスク保持部１０４ｄと下ハーフ１０４の側壁との間隙を適正に設定することにより変形に伴う移動は吸収でき、シャッター１０５が開口部１０４ａを開放する動作に影響は与えなくすることができる。
ディスクカートリッジ１０１の挿入を更に進行させると、図２９に示すように、接触部１０９ｂが下ハーフ１０４の挿入方向の後ろ側の側壁（以下、後ろ側側壁と称す）に当接することでシャッター１０５の開放動作は終了し、開口部１０４ａは完全に開放される。
このようにホルダ１２０は、シャッターロック解除装置として機能する。
なお、本実施の形態の上記説明では、接触部１０９ｂが後ろ側側壁に当接する構成を説明したが、後ろ側側壁よりも挿入方向の前側に仕切りを設け、当該仕切りによりシャッター１０５の開放動作を終了させても、平板部分１０５ｆが完全に開口部１０４ａを開放さえいればよいこと勿論である。
また、本実施の形態では、シャッター戻しバネ１０６の先端部１０６ａをディスクカートリッジ１０１の内側に移動させてロック解除する構成を示したが、先端部１０６ａを外側に移動させてロック解除してもよく、バネの構成、ロック解除部材の先端形状は適宜設計可能である。
さらに、シャッター戻しバネ１０６は、ねじりコイルバネを使用しているが、他の弾性体を用いてもよい。
以上のように、本実施の形態によれば、シャッター１０５のロック解除動作と開口部１０４ａの開放動作をオープナ爪１２０ａによって行うので、記録再生装置等のディスク駆動装置にロック解除機構をさらに設ける必要がない。それにより、ディスク駆動装置の構成を極めて単純化することができ、ディスク駆動装置のコストを低減することが可能になる。
また、シャッター１０５が開口部１０４ａを開放する場合には、シャッター１０５のロックを解除してからシャッター１０５が開口部１０４ａを開放し、シャッター１０５が開口部１０４ａを閉塞する場合には、開口部１０４ａを閉塞した後に、シャッター１０５を確実にロックするため、シャッター１０５のロックおよびロック解除に対する信頼性も向上できる。換言すると、本発明のディスクカートリッジは、シャッター１０５によって開口部１０４ａを閉塞する場合には、外力によって開口部１０４ａが不要に開放されるを確実に防止できるとともに、当該シャッター１０５が開口部１０４ａを開放する場合には極めて単純な装置構成で確実に開口部１０４ａを開放する動作が達成できるという顕著な効果がある。
さらに、ロック解除部材１０９はディスクカートリッジ１０１の側面に形成した例えばオープナ爪１２０ａが通過できる間隙の範囲で吸収できるため、ディスクに直交する方向のディスクカートリッジ１０１の厚み、およびディスク１０２の面方向のディスクカートリッジ１０２の面積を大きくすることはない。
【産業上の利用可能性】  以上のように、本発明のディスクカートリッジによれば、シャッター戻しバネによって、シャッター部材を移動させて開口部を閉塞すること、および、開口部を閉塞した閉塞状態において、使用者の取り扱いによってシャッター部材が開口部を不容易に開放するのを防ぐことが同時に実現されるため、ディスクカートリッジ内のディスクの保護を非常に安価な構成で確実に行うことができる。
また、シャッター戻しバネによって、開口部の閉塞とシャッター部材のロックといった複数の機能が実現されるため、同様な機能をそれぞれ専用の部品を使って別々に行う場合に比べて、カートリッジのサイズを小さくすることができる。
さらに、ディスクカートリッジをディスク駆動装置に挿入する先端側に新たにロック機構を設ける必要がないため、外形デザインの自由度が増し、先端側に大きな曲率を有する斬新な形状を提供することができるとともに、曲率を有する部分には、ディスク駆動装置の構成部品を配置することができ、それによって、ディスク駆動装置の小型化にも貢献できるディスクカートリッジを実現できる効果がある。
本発明のある実施形態によると、シャッター戻しバネの空間面積を減らすことなくシャッター戻しバネを配置することが可能であるため、シャッター戻しバネの形状をシンプルにすることができ、シャッター戻しバネのコストを低減するとともに製造品質をも高めることができる。さらに、位置決め穴とシャッター戻しバネの移動範囲とが連通しているため、それぞれ専用の空間に別々に構成する場合にくらべてディスクカートリッジを小さく形成することができる。
本発明のある実施形態によると、シャッター戻しバネを用いて、シャッターの閉塞状態において、シャッターをロックするため、ロックのための新たな部品を追加することなく非常に簡単な構成でシャッターのロックを実現でき、それにより、ディスクカートリッジを安価にすることができる。また、部品の数が増えないためロック動作の信頼性の高いディスクカートリッジを提供することができる。
本発明のある実施形態によると、直接、シャッター戻しバネの先端部を押すことによりシャッターのロックを解除することができる。また、シャッター戻しバネの先端部は、カートリッジ本体の側面に設けられた案内溝部に存在するため、カートリッジの外側から不容易に接触することによってロック解除することが抑制され、安全なロック解除装置を提供することができる。さらに、ディスクカートリッジのシャッターは、シャッター戻りバネの付勢力によって閉塞状態となり、ディスクカートリッジを取り出す際の操作感の良いディスクカートリッジを提供できる。
本発明のある実施形態によると、シャッターが開口部を開放する開放状態からシャッターが開口部を閉塞する閉塞状態に戻る場合に、シャッター戻しバネの先端部を安定的にロック凹部に移動させることができ、シャッターのロック動作の信頼性を高めることができる。これにより、繰り返し使用されることなどによって、シャッター戻しバネの先端部と当接する面が表面状態が変化し、シャッター部材の移動時の摩擦係数が高くなってしまった場合であっても、信頼性の高い状態でシャッターのロックを行うことができる。
本発明のある実施形態によると、シャッター部材とカートリッジ本体との係合部を薄くすることができ、ディスクカートリッジの薄型化を実現することができる。また、ディスクカートリッジに収納されたディスクに記録するか、または、ディスクを再生するための光ピックアップの大きさを低減できるため、本発明のディスクカートリッジを使用する光ディスク装置の小型化に対しても顕著な効果を奏する。
本発明のある実施形態によると、シャッター部材とカートリッジ本体との係合を確実に行い、例えば、ディスクカートリッジの外部から加わる力によってシャッター部材がカートリッジ本体から離脱され、収納したディスクに損傷等を与えることを抑制することができる。また、本発明のディスクカートリッジの薄型化およびディスク駆動装置の小型・薄型化に対しても有効である。
本発明のある実施形態によると、下側係合溝部を通じて開口部内へ埃などの進入を防ぐことのできる密閉性の高いディスクカートリッジを実現することができる。
本発明のある実施形態によると、第２のケースに設けた連結部の下面が、スピンドルにチャッキングされた状態のディスクの下面と略同一面とするとともに、連結部の上面が第１のケースの端部に形成した切欠部と合わせてカートリッジ本体の側面に溝を形成したため、シャッター部材のガイドおよび保持になんらの支障を与えることなく、光ピックアップのディスク外周側のサイズを制限する必要性が減少するとともに、光ピックアップのディスク駆動装置内の配置に対する制約も低減することができるため、本発明のディスクカートリッジを使用する光ピックアップ装置の薄型化と小型化とを実現することができる。
本発明のある実施形態によると、開口部の下を前記ディスクの内周から外周に亘って移動する光ピックアップ装置がディスクの外周部側に位置するときも、カートリッジ本体を載置するためディスク駆動装置のシャーシなどに設けられたカートリッジ載置部が高さ方向で光ピックアップと干渉しないようにすることができる。それにより、ディスク駆動装置の厚さを薄くすることができる。特に、光ピックアップ装置のサイズに比べ小さな径のディスクを収納するディスクカートリッジを用いるディスク駆動装置において効果が大きい。
本発明のある実施形態によると、ディスクカートリッジをカートリッジホルダに挿入する際、シャッターロック解除動作が非常に簡単な構成で実現でき、カートリッジホルダー装置の小型化ひいてはディスク駆動装置の小型化を実現できる。
本発明のある実施形態によると、ディスクカートリッジをカートリッジホルダーに挿入する際、シャッターロック手段を解除する側の端部がカートリッジの先端と当接することがないため、カートリッジ本体に擦り傷がついてしまったり、挿入時の感触が悪くなったりすることのない高品位のシャッターロック解除装置を提供できる。
本発明のある実施の形態のディスクカートリッジによれば、シャッター戻しバネはシャッター部材が開口部を閉塞すること、および、シャッター部材を閉塞した後の使用者の取り扱いによってシャッター部材が開口部を不容易に開放してしまうことを防止することの両方を実現するため、ディスクカートリッジ内のディスクの保護を非常に安価な構成で確実に可能にできる。また、シャッター戻しバネにｙって、シャッター戻しとシャッターのロックといった複数の機能を実現できるため、同様な機能をそれぞれ専用の部品を使って構成した場合に比べ一箇所で集中した機構構成が可能であり、その結果、ディスクカートリッジのサイズを小さくすることができる。さらに、先端側に新たなロック機構を設けることが不要になるため、外形デザインの自由度が増し、先端側に大きい曲率を有する斬新な形状とすることができる。その場合、曲率を有する部分に、ディスク駆動装置の構成部品を配置することができ、それにより、ディスク駆動装置の小型化にも貢献できる。
また、ディスク駆動装置にカートリッジを挿入する方向の先端側に新たにロック機構を設けること不要になり、シャッター戻りバネによるシャッターのロックを解除するロック解除部をディスクカートリッジに設けたので、ディスク駆動装置のカートリッジホルダに特別なロック解除機構を設けることが不要となり、ディスク駆動装置の小型化および省部品化を実現することができる。
本発明のある実施の形態によれば、ロック解除部はシャッター部材が開口部を開放する方向に移動してロックを解除するので、例えばカートリッジの収容されたディスクを記録または再生する記録再生部にカートリッジを駆動するためのディスク駆動装置にオープナ爪を設けるという極めて簡単な構成でロック解除動作が可能であり、ディスク駆動装置の例えばカートリッジ把持部の構成は極めてシンプルな構成でよく、ディスク駆動装置のコストダウンや信頼性に大きな効果を奏する。すなわち、ロック解除部がシャッター戻しバネによるシャッターのロックを解除した後、シャッターが開口部を開放する構成であるため、シャッターが開口部を開放する動作に対する信頼性が高く、また閉塞動作に対してもロック解除部はシャッターのコ字状屈曲部内でシャッターの閉塞方向に摺動することで、シャッター戻しバネによるシャッターロック機構を復元できる構成であるため、閉塞動作においても信頼性が高い。
本発明のある実施の形態によれば、ロック解除部は、オープナ爪に押されてロック解除を完了後、そのままシャッター部材とともに開放位置まで移動するので、ロック解除部とオープナ爪の干渉もなく、カートリッジ内にロック解除部の退避スペースが必要ないので、カートリッジの小型化が可能である。
【図１】
2004032137.tif 000003
【図２】
2004032137.tif 000004
【図３】
2004032137.tif 000005
【図４】
2004032137.tif 000006
【図５】
2004032137.tif 000007
【図６】
2004032137.tif 000008
【図７】
2004032137.tif 000009
【図８】
2004032137.tif 000010
【図９】
2004032137.tif 000011
【図１０】
2004032137.tif 000012
【図１１】
2004032137.tif 000013
【図１２】
2004032137.tif 000014
【図１３】
2004032137.tif 000015
【図１４】
2004032137.tif 000016
【図１５】
2004032137.tif 000017
【図１６】
2004032137.tif 000018
【図１７】
2004032137.tif 000019
【図１８】
2004032137.tif 000020
【図１９】
2004032137.tif 000021
【図２０】
2004032137.tif 000022
【図２１】
2004032137.tif 000023
【図２２】
2004032137.tif 000024
【図２３】
2004032137.tif 000025
【図２４】
2004032137.tif 000026
【図２５】
2004032137.tif 000027
【図２６】
2004032137.tif 000028
【図２７】
2004032137.tif 000029
【図２８】
2004032137.tif 000030
【図２９】
2004032137.tif 000031
【手続補正書】
【提出日】平成16年1月26日(2004.1.26)
【手続補正００１】
【補正対象書類名】特許請求の範囲
【補正対象項目名】特許請求の範囲
【補正方法】変更
【補正の内容】
【特許請求の範囲】
【請求項１】
（補正後）ディスクを回転可能に収納するディスク収納部を有し、前記ディスクの一部を露出する開口部が設けられたカートリッジ本体と、
前記開口部を開放または閉塞するように移動可能なシャッター部材と、
前記シャッター部材が前記開口部を開放しないように付勢するシャッター戻しバネと、
前記シャッター部材をロックするロック部と
を備える、ディスクカートリッジであって、
前記ロック部は、前記シャッター戻しバネを用いて前記シャッター部材をロックし、
前記シャッター部材は、前記シャッター戻しバネと係合するバネ係合部を含み、
前記シャッター部材が前記開口部を閉塞する閉塞状態において、前記シャッター部材と前記シャッター戻しバネとは、前記シャッター部材の移動方向に対して略直角に前記バネ係合部内で摺動する、ディスクカートリッジ。
【請求項２】
（削除）
【請求項３】
前記カートリッジ本体は、第１のケースと第２のケースとを含み、
前記第１のケースと前記第２のケースとを一体に組み合せることによって、ディスク収納部が形成される、請求の範囲第１項に記載のディスクカートリッジ。
【請求項４】
前記カートリッジ本体には、前記ディスクカートリッジが前記ディスクを駆動するためのディスク駆動装置に装着された場合に、前記ディスク駆動装置に対する前記ディスクカートリッジの位置を規定するための位置決め穴が設けられている、請求の範囲第１項に記載のディスクカートリッジ。
【請求項５】
前記カートリッジ本体は、第１のケースと第２のケースとを含み、
前記第１のケースと前記第２のケースとを一体に組み合せることによって、ディスク収納部が形成され、
前記位置決め穴は、前記第１のケースおよび前記第２のケースを貫通しないように設けられている、請求の範囲第４項に記載のディスクカートリッジ。
【請求項６】
（補正後）前記シャッター戻しバネの先端部は前記カートリッジ本体の厚み方向と同じ方向に屈曲されており、
前記ロック部は、前記シャッター戻しバネの先端部で前記シャッター部材をロックする、請求の範囲第１項に記載のディスクカートリッジ。
【請求項７】
（補正後）前記カートリッジ本体には、前記シャッター部材が前記開口部を閉塞する閉塞状態において、前記シャッター部材が移動する方向とは略直角に前記シャッター戻しバネが係合するロック凹部が設けられる、請求の範囲第１項に記載のディスクカートリッジ。
【請求項８】
（補正後）前記カートリッジ本体の前記シャッター部材と係合する側面には、前記カートリッジ本体の外部に開放された凹状の案内溝部が設けられ、
前記シャッター戻しバネの一方の端部は、前記案内溝部に沿って移動する、請求の範囲第１項に記載のディスクカートリッジ。
【請求項９】
前記シャッター戻しバネの前記一方の端部と当接する前記バネ係合部の面に、前記シャッター戻しバネの前記一方の端部を前記ロック凹部に移動する傾斜面が設けられる、請求の範囲第８項に記載のディスクカートリッジ。
【請求項１０】
前記第１のケースには、前記シャッター部材の移動をガイドするとともに前記シャッター部材を保持するための上側係合溝が設けられ、
前記第２のケースには、前記シャッター部材の移動をガイドするとともに前記シャッター部材を保持するための下側係合溝が設けられる、請求の範囲第３項に記載のディスクカートリッジ。
【請求項１１】
前記シャッター部材には、前記上側係合溝と係合する上側係合突部と、前記下側係合溝と係合する下側係合突部とが設けられる、請求の範囲第１０項に記載のディスクカートリッジ。
【請求項１２】
（補正後）前記下側係合溝は、前記開口部と、所定の距離だけ離れて設けられる、請求の範囲第１０項に記載のディスクカートリッジ。
【請求項１３】
前記開口部の外周部を連結する連結部が前記第２のケースに設けられ、前記連結部は、前記ディスクを駆動するためのディクス駆動装置が前記ディスクを駆動する場合の前記ディスクの面と略同一面の下面と、前記開口部から前記カートリッジ本体の端部に前記開口部における面と同一面を前記シャッター部材を閉塞する方向に延在した上面とを有し、
前記第１のケースの側面に切欠部が設けられ、
前記第１のケースの前記切欠部と前記連結部の前記上面とによって溝が形成される、請求の範囲第３項に記載のディスクカートリッジ。
【請求項１４】
（補正後）前記ディスクを駆動するディスク駆動装置に載置する前記カートリッジ本体の主面において、前記ディスク駆動装置に前記ディスクカートリッジを挿入する方向の先端部のコーナーに、前記主面より凹んだ平面のコーナー凹部が設けられる、請求の範囲第１項に記載のディスクカートリッジ。
【請求項１５】
（補正後）前記ロック部のロックを解除するロック解除部をさらに備える、請求の範囲第１項に記載のディスクカートリッジ。
【請求項１６】
（削除）
【請求項１７】
（削除）
【請求項１８】
（削除）
【請求項１９】
（追加）前記ロック解除部は、前記シャッター部材が前記開口部を開放する方向に移動してロックを解除する、請求の範囲第１５項に記載のディスクカートリッジ。
【請求項２０】
（追加）前記シャッター部材は、前記開口部を開放する場合に押圧される当接部を含み、
前記シャッター部材が前記開口部を開放する場合、前記ロック解除部の少なくとも一部が前記シャッター部材の前記当接部と接触するように前記ロック解除部は配置されている、請求の範囲第１５項に記載のディスクカートリッジ。
【請求項２１】
（追加）前記ロック解除部は、前記ディスクを駆動するためのディスク駆動装置により押圧されるオープナ当接部と、前記シャッター戻しバネと係合する接触部と、前記オープナ当接部と前記接触部とを連接する連接部とを含む、請求の範囲第１５項に記載のディスクカートリッジ。
【請求項２２】
（追加）前記ロック解除部は、前記ディスクを駆動するためのディスク駆動装置により押圧されるオープナ当接部を含み、
前記オープナ当接部は、前記シャッター部材の閉塞方向に前記シャッター部材から突出して配置される、請求の範囲第１５項に記載のディスクカートリッジ。
【請求項２３】
（追加）前記ロック解除部は、前記シャッター戻しバネと接触する、請求の範囲第１５および２０〜２２項のいずれかに記載のディスクカートリッジ。
【請求項２４】
（追加）前記ロック解除部は、前記ディスクを駆動するためのディスク駆動装置により押圧されるオープナ当接部を含み、前記ロック解除部は、前記シャッター部材が前記開口部を開放または閉塞する方向に移動可能に設けられる、請求の範囲第１５および２０〜２２項のいずれかに記載のディスクカートリッジ。
【請求項２５】
（追加）前記ロック解除部は、前記ディスクを駆動するためのディスク駆動装置により押圧されるオープナ当接部を含み、
前記シャッター部材が前記開口部を閉塞し、かつ、前記シャッター部材がロックされた状態で、前記オープナ当接部が押圧されることにより、前記ロック解除部はロックを解除し、その後、前記ロック解除部は、前記シャッター部材と一体となって開放位置まで前記シャッター部材とともに移動する、請求の範囲第１５および２０〜２２項のいずれかに記載のディスクカートリッジ。
【手続補正書】
【提出日】平成17年4月6日(2005.4.6)
【手続補正１】
【補正対象書類名】特許請求の範囲
【補正対象項目名】全文
【補正方法】変更
【補正の内容】
【特許請求の範囲】
【請求項１】
ディスクを回転可能に収納するディスク収納部を有し、前記ディスクの一部を露出する開口部が設けられたカートリッジ本体と、
前記開口部を開放または閉塞するように移動可能なシャッター部材と、
前記シャッター部材が前記開口部を開放しないように付勢するシャッター戻しバネと、
前記シャッター部材をロックするロック部と
を備える、ディスクカートリッジであって、
前記ロック部は、前記シャッター戻しバネを用いて前記シャッター部材をロックし、
前記シャッター部材は、前記シャッター戻しバネと係合するバネ係合部を含み、
前記シャッター部材が前記開口部を閉塞する閉塞状態において、前記シャッター部材と前記シャッター戻しバネとは、前記シャッター部材の移動方向に対して略直角に前記バネ係合部内で摺動する、ディスクカートリッジ。
【請求項２】
前記カートリッジ本体は、第１のケースと第２のケースとを含み、
前記第１のケースと前記第２のケースとを一体に組み合せることによって、ディスク収納部が形成される、請求項１に記載のディスクカートリッジ。
【請求項３】
前記カートリッジ本体には、前記ディスクカートリッジが前記ディスクを駆動するためのディスク駆動装置に装着された場合に、前記ディスク駆動装置に対する前記ディスクカートリッジの位置を規定するための位置決め穴が設けられている、請求項１に記載のディスクカートリッジ。
【請求項４】
前記カートリッジ本体は、第１のケースと第２のケースとを含み、
前記第１のケースと前記第２のケースとを一体に組み合せることによって、ディスク収納部が形成され、
前記位置決め穴は、前記第１のケースおよび前記第２のケースを貫通しないように設けられている、請求項３に記載のディスクカートリッジ。
【請求項５】
前記シャッター戻しバネの先端部は前記カートリッジ本体の厚み方向と同じ方向に屈曲されており、
前記ロック部は、前記シャッター戻しバネの先端部で前記シャッター部材をロックする、請求項１に記載のディスクカートリッジ。
【請求項６】
前記カートリッジ本体には、前記シャッター部材が前記開口部を閉塞する閉塞状態において、前記シャッター部材が移動する方向とは略直角に前記シャッター戻しバネが係合するロック凹部が設けられる、請求項１に記載のディスクカートリッジ。
【請求項７】
前記カートリッジ本体の前記シャッター部材と係合する側面には、前記カートリッジ本体の外部に開放された凹状の案内溝部が設けられ、
前記シャッター戻しバネの一方の端部は、前記案内溝部に沿って移動する、請求項１に記載のディスクカートリッジ。
【請求項８】
前記シャッター戻しバネの前記一方の端部と当接する前記バネ係合部の面に、前記シャッター戻しバネの前記一方の端部を前記ロック凹部に移動する傾斜面が設けられる、請求項７に記載のディスクカートリッジ。
【請求項９】
前記第１のケースには、前記シャッター部材の移動をガイドするとともに前記シャッター部材を保持するための上側係合溝が設けられ、
前記第２のケースには、前記シャッター部材の移動をガイドするとともに前記シャッター部材を保持するための下側係合溝が設けられる、請求項２に記載のディスクカートリッジ。
【請求項１０】
前記シャッター部材には、前記上側係合溝と係合する上側係合突部と、前記下側係合溝と係合する下側係合突部とが設けられる、請求項９に記載のディスクカートリッジ。
【請求項１１】
前記下側係合溝は、前記開口部と、所定の距離だけ離れて設けられる、請求項９に記載のディスクカートリッジ。
【請求項１２】
前記開口部の外周部を連結する連結部が前記第２のケースに設けられ、前記連結部は、前記ディスクを駆動するためのディクス駆動装置が前記ディスクを駆動する場合の前記ディスクの面と略同一面の下面と、前記開口部から前記カートリッジ本体の端部に前記開口部における面と同一面を前記シャッター部材を閉塞する方向に延在した上面とを有し、
前記第１のケースの側面に切欠部が設けられ、
前記第１のケースの前記切欠部と前記連結部の前記上面とによって溝が形成される、請求項２に記載のディスクカートリッジ。
【請求項１３】
前記ディスクを駆動するディスク駆動装置に載置する前記カートリッジ本体の主面において、前記ディスク駆動装置に前記ディスクカートリッジを挿入する方向の先端部のコーナーに、前記主面より凹んだ平面のコーナー凹部が設けられる、請求項１に記載のディスクカートリッジ。
【請求項１４】
前記ロック部のロックを解除するロック解除部をさらに備える、請求項１に記載のディスクカートリッジ。
【請求項１５】
前記ロック解除部は、前記シャッター部材が前記開口部を開放する方向に移動してロックを解除する、請求項１４に記載のディスクカートリッジ。
【請求項１６】
前記シャッター部材は、前記開口部を開放する場合に押圧される当接部を含み、
前記シャッター部材が前記開口部を開放する場合、前記ロック解除部の少なくとも一部が前記シャッター部材の前記当接部と接触するように前記ロック解除部は配置されている、請求項１４に記載のディスクカートリッジ。
【請求項１７】
前記ロック解除部は、前記ディスクを駆動するためのディスク駆動装置により押圧されるオープナ当接部と、前記シャッター戻しバネと係合する接触部と、前記オープナ当接部と前記接触部とを連接する連接部とを含む、請求項１４に記載のディスクカートリッジ。
【請求項１８】
前記ロック解除部は、前記ディスクを駆動するためのディスク駆動装置により押圧されるオープナ当接部を含み、
前記オープナ当接部は、前記シャッター部材の閉塞方向に前記シャッター部材から突出して配置される、請求項１４に記載のディスクカートリッジ。
【請求項１９】
前記ロック解除部は、前記シャッター戻しバネと接触する、請求項１４および請求項１６〜１８のいずれかに記載のディスクカートリッジ。
【請求項２０】
前記ロック解除部は、前記ディスクを駆動するためのディスク駆動装置により押圧されるオープナ当接部を含み、前記ロック解除部は、前記シャッター部材が前記開口部を開放または閉塞する方向に移動可能に設けられる、請求項１４および請求項１６〜１８のいずれかに記載のディスクカートリッジ。
【請求項２１】
前記ロック解除部は、前記ディスクを駆動するためのディスク駆動装置により押圧されるオープナ当接部を含み、
前記シャッター部材が前記開口部を閉塞し、かつ、前記シャッター部材がロックされた状態で、前記オープナ当接部が押圧されることにより、前記ロック解除部はロックを解除し、その後、前記ロック解除部は、前記シャッター部材と一体となって開放位置まで前記シャッター部材とともに移動する、請求項１４および請求項１６〜１８のいずれかに記載のディスクカートリッジ。
【手続補正２】
【補正対象書類名】明細書
【補正対象項目名】全文
【補正方法】変更
【補正の内容】
【発明の詳細な説明】
【技術分野】
【０００１】
本発明は、ディスクカートリッジに関し、より詳細には、情報を記録する情報記録媒体であるディスクをカートリッジ本体に収納するディスクカートリッジに関する。
【背景技術】
【０００２】
情報を記録する情報記録媒体としてディスク、例えば、磁気ディスク、光ディスクが知られている。
【０００３】
ディスクは、オーディオディスクまたはビデオディスクとして使用されている。ディスクは、また、コンピューターのデータ記憶装置の情報記録媒体としても使用されている。
【０００４】
このようなディスクのうち、光ディスクを駆動するディスク駆動装置として、光ディスク装置が広く用いられている。
【０００５】
ディスクの記録密度の向上に伴い、より大容量でかつ小型の光ディスク装置が要望されている。また、オーディオ・ビデオ（ＡＶ）機器のみならず、パーソナルコンピューターの小型化およびポータブル化が進んでおり、光ディスク装置の小型化および薄型化が望まれている。
【０００６】
一般に、情報を記録可能なディスクはカートリッジ本体に収納されることによって、ディスクに埃および指紋が付着することを防ぐことができる。このように、ディスクをカートリッジ本体に収納するディスクカートリッジは、例えば、特許第３０３０８９４号および特許第３１７８０４７号に記載されている。
【特許文献１】特許第３０３０８９４号
【特許文献２】特許第３１７８０４７号
【０００７】
特許第３０３０８９４号（特に、段落番号００２０〜同００２４、同００３４、図１、５参照）および特許第３１７８０４７号（特に、段落番号００３０〜同００３４、図１、２、４参照）にて記載されたディスクカートリッジは、ＭＤ（ミニディスク）に用いられている。
【０００８】
このディスクカートリッジでは、ディスクは、カートリッジ本体に収納されており、カートリッジ本体には、ディスクの一部を露出する開口部が設けられている。
【０００９】
ディスクカートリッジは、開口部を開放または閉塞するように移動可能なシャッターを備えており、シャッターは、ディスクカートリッジをディスク駆動装置に挿入する方向と同じ方向に移動（具体的には、スライド）することによって、開口部を開放または閉塞する。
【００１０】
シャッターは、略コ字状の断面を有しており、シャッターの底面に、抜け止め突起が設けられている。シャッターは、カートリッジ本体を挟み込むとともに、カートリッジ本体の底面に形成されたガイド溝にシャッターの抜け止め突起を係合することによって、ディスク駆動装置にディスクカートリッジを挿入する方向にシャッターはスライドする。カートリッジ本体において、このようなガイド溝は、開口部よりも外周側に設けられている。
【００１１】
また、このディスクカートリッジは、シャッターが開口部を閉塞した状態でシャッターをロックするロック部材を備えている。ロック部材は、開口部よりもディスク駆動装置にディスクカートリッジを挿入する方向の先端側に設けられている。
【００１２】
ディスク駆動装置には、ディスクカートリッジが装着されるカートリッジホルダーが設けられており、カートリッジホルダーの内側面には、固定されたオープナ爪を設けられている。
【００１３】
ディスクカートリッジをディスク駆動装置に挿入すると、オープナ爪は、ディスクカートリッジの側面に設けられた溝内を通過し、ロック部材を押圧してシャッターのロックを解除した後、シャッターを後方へ移動させて、開口部を開放する。
【００１４】
開口部が開放された状態で、ディスク駆動装置の記録再生ヘッドが開口部に挿入されることよって、カートリッジ本体に収納されたディスクに情報を記録するか、または、ディスクに記録された情報を再生することができる。
【００１５】
一方、ディスクカートリッジをディスク駆動装置から取り出す場合、オープナ爪はシャッターを閉塞することはできない。したがって、ディスクカートリッジをディスク駆動装置から取り出す場合にシャッターを閉塞する板バネをディスク駆動装置に設けることが必要となる。板バネは、シャッターの側面に設けられた孔に係合して、シャッターを保持した状態でスライドし、それにより、開口部が閉塞される。
【００１６】
通常、カートリッジ本体の底面の４つのコーナー部付近は、基準面として機能する。ディスクカートリッジをディスク駆動装置に装着する場合、カートリッジ本体の基準面に対応する位置にメカシャーシが設けられており、そのメカシャーシに設置面を設けて上からディスクカートリッジを押さえることにより、ディスク駆動装置に対するディスクカートリッジを位置決めする。
【発明の開示】
【発明が解決しようとする課題】
【００１７】
しかしながら、上記の特許第３０３０８９４号および特許第３１７８０４７号に記載されたディスクカートリッジには、以下に示すような問題があった。
【００１８】
ディスクカートリッジをディスク駆動装置から取り出す場合、シャッターに開口部を閉塞させるように機能する板バネの抵抗が感じられ、操作感がよくない。また、その抵抗感を低減するために板バネがシャッターを保持する力を弱くすると、シャッターを確実に閉じることができなくなるおそれがある。
【００１９】
また、シャッターが開口部を閉塞することなくディスク駆動装置からディスクカートリッジを取り出すと、開口部から埃などの異物が侵入して、ディスクに付着し、ディスクの記録および再生に支障をきたすおそれがある。
【００２０】
また、シャッターが開口部を閉塞した状態でシャッターをロックするための専用のロック機構を設ける必要があるため、カートリッジ本体の方形のコーナー部に大きな曲率を設けるといったデザイン自由度を損ねることになる。また、より小さなサイズのディスクに対応したディスクカートリッジを提供する場合、ロック機構のために利用可能な面積が相対的に減少し、ロック機構自体のスペースを確保することができない。
【００２１】
さらに、シャッターが開放されたまま放置されることを防ぐために、シャッターを閉塞する方向にバネで付勢する態様も考えられるが、ロック機構を有さないとディスクカートリッジを携帯する際、何らかの外力でシャッターの位置がずれやすく、埃および異物の侵入が起こりやすくなり、また、このようなバネとロック機構との両方を設けると、部品点数が増加し、ディスクカートリッジのコストを増加させることになる。
【００２２】
また、シャッターの移動方向をガイドするガイド溝は、カートリッジ本体の底面に設けられており、シャッターに設けられた抜け止め突起の少なくとも一つは、ガイド溝に係合する。カートリッジ本体の底面には、ガイド溝だけでなく、開口部も設けられているため、シャッターは、開口部の周辺を動くことになる。したがって、開口部の周辺は平面であることが必要である。また、開口部の外周部は、開口部に挿入される記録再生ヘッドのレンズ駆動部との干渉を避けるために必要十分なスペースが必要であるが、開口部の外側にガイド溝を形成するため、カートリッジ本体の幅が大きくなってしまう。
【００２３】
また、ガイド溝をより内側に配置すると、開口部と連通してしまう。この場合、シャッターが開口部を閉塞する場合でもガイド溝を通じて埃が侵入する経路が形成されてしまう。
【００２４】
さらに、ディスクのサイズが小さくなるほど、ディスク駆動装置の記録再生ヘッドのサイズが相対的に大きくなるので、開口部近傍の基準面に対するメカシャーシの設置面は記録再生ヘッドと干渉するようになる。これを避けるためには記録再生ヘッドをカートリッジ本体から離して下へ下げて配置する必要があり、それによって、ディスク駆動装置の厚さが厚くなってしまう。
【００２５】
本発明は上記課題を解決し、簡単な構造でコストを低減しつつ防塵性を高め、小型化することが可能なディスクカートリッジを提供することを目的とする。
【課題を解決するための手段】
【００２６】
本発明によるディスクカートリッジは、ディスクを回転可能に収納するディスク収納部を有するカートリッジ本体であって、前記ディスクの一部を露出する開口部が設けられたカートリッジ本体と、前記開口部を開放または閉塞するように移動可能なシャッター部材と、前記シャッター部材が前記開口部を開放しないように付勢するシャッター戻しバネと、前記シャッター部材をロックするロック部とを備える。
【００２７】
前記ロック部は、前記シャッター戻しバネを用いてロックされてもよい。
【００２８】
前記カートリッジ本体は、第１のケースと第２のケースとを含み、前記第１のケースと前記第２のケースとを一体に組み合せることによって、ディスク収納部が形成されてもよい。
【００２９】
前記カートリッジ本体には、前記ディスクカートリッジが前記ディスクを駆動するためのディスク駆動装置に装着された場合に、前記ディスク駆動装置に対する前記ディスクカートリッジの位置を規定するための位置決め穴が設けられてもよい。
【００３０】
前記カートリッジ本体は、第１のケースと第２のケースとを含み、前記第１のケースと前記第２のケースとを一体に組み合せることによって、ディスク収納部が形成され、前記位置決め穴は、前記第１のケースおよび前記第２のケースを貫通しないように設けられてもよい。
【００３１】
前記シャッター部材は、前記シャッター戻しバネと係合するバネ係合部を含み、前記シャッター部材が開口部を閉塞する閉塞状態において、前記シャッター部材と前記シャッター戻しバネとは、前記シャッター部材が移動する方向とは略直角に前記バネ係合部内で摺動してもよい。
【００３２】
前記カートリッジ本体には、前記シャッター部材が開口部を閉塞する閉塞状態において、前記シャッター部材が移動する方向とは略直角に前記シャッター戻しバネが係合するロック凹部が設けられてもよい。
【００３３】
前記カートリッジ本体の前記シャッター部材と係合する側面には、前記カートリッジ本体の外部に開放された凹状の案内溝部が設けられ、前記シャッター戻しバネの一方の端部は、前記案内溝部に沿って移動してもよい。
【００３４】
前記シャッター戻しバネの前記一方の端部と当接する前記バネ係合部の面に、前記シャッター戻しバネの前記一方の端部を前記ロック凹部に移動する傾斜面が設けられてもよい。
【００３５】
前記第１のケースには、前記シャッター部材の移動をガイドするとともに前記シャッター部材を保持するための上側係合溝が設けられ、前記第２のケースには、前記シャッター部材の移動をガイドするとともに前記シャッター部材を保持するための下側係合溝が設けられてもよい。
【００３６】
前記シャッター部材には、前記上側係合溝と係合する上側係合突部と、前記下側係合溝と係合する下側係合突部とが設けられてもよい。
【００３７】
前記下側係合溝は、前記開口部と、所定の距離だけ離れて設けられてもよい。
【００３８】
前記開口部の外周部を連結する連結部が前記第２のケースに設けられ、前記連結部は、前記ディスクを駆動するためのディクス駆動装置が前記ディスクを駆動する場合の前記ディスクの面と略同一面の下面と、前記開口部から前記カートリッジ本体の端部に前記開口部における面と同一面を前記シャッター部材を閉塞する方向に延在した上面とを有し、前記第１のケースの側面に切欠部が設けられ、前記第１のケースの前記切欠部と前記連結部の前記上面とによって溝が形成されてもよい。
【００３９】
前記第２のケースには、前記シャッター部材の開放範囲を規制する開放範囲規制部が設けられ、前記ディスクを駆動するディスク駆動装置が前記第２のケースを載置する前記第２のケースの主面に、前記開放範囲規制部に前記開口部を介して対向する前記シャッター部材が係合する角部近傍に、前記主面より凹んだ平面の保持部が設けられてもよい。
【００４０】
前記ディスクカートリッジは、前記ロック部材のロックを解除するロック解除部をさらに備えてもよい。
【００４１】
前記ロック解除部は、前記シャッター戻しバネと接触してもよい。
【００４２】
前記ロック解除部は、前記ディスクを駆動するためのディスク駆動装置により押圧される押圧部とを備え、前記シャッター部材が開放または閉塞する方向に移動可能に設けられてもよい。
【００４３】
前記ロック解除部は、前記シャッター部材が閉塞かつロックされた状態で、前記押圧部が押圧されることにより、ロック解除状態とし、その後、前記シャッター部材と一体となって開放位置まで前記シャッター部材とともに移動してもよい。
【発明を実施するための最良の形態】
【００４４】
以下、本発明の実施の形態について図面を参照しながら説明する。
【００４５】
（実施の形態１）
図１は、本発明の実施の形態１によるディスクカートリッジ１を示す分解斜視図である。
【００４６】
ディスクカートリッジ１は、ディスク２を回転可能に収納するディスク収納部２１を有し、ディスク２の一部を露出する開口部４ａが設けられたカートリッジ本体１Ａと、開口部４ａを開放または閉塞するように移動可能なシャッター５と、シャッター５が開口部４ａを開放しないように付勢するシャッター戻しバネ６と、シャッター５をロックするロック部８（図５を参照して後述する）とを備える。
【００４７】
ディスク駆動装置（図示せず）には、ディスクカートリッジ１を図１に示された−Ｙ方向に挿入し、ディスク駆動装置にディスクカートリッジ１を装着した後、ディスク駆動装置は、ディスク２を駆動する。具体的には、ディスク駆動装置は、ディスク２に情報を記録するか、または、ディスク２に記録された情報をディスク２から再生する。
【００４８】
カートリッジ本体１Ａは、上側のケースとして機能する上ハーフ３と、下側のケースとして機能する下ハーフ４とを含み、上ハーフ３と下ハーフ４とを一体に組み合わせることによって、ディスク収納部２１が形成される。
【００４９】
図１では、上ハーフ３の外面および下ハーフ４の内面が図示されている。
【００５０】
下ハーフ４には、シャッター５が取り付けられている。シャッター５は、ディスクカートリッジ１をディスク駆動装置（図示せず）に挿入する方向と平行なＹ方向および−Ｙ方向に移動する（具体的には、スライドする）ことによって、開口部４ａを開放または閉塞する。以下の説明において、シャッター５が開口部４ａを開放する位置をシャッター５の開放位置または単に開放位置とよび、シャッター５が開口部４ａを閉塞する位置をシャッター５の閉塞位置または単に閉塞位置とよぶ。
【００５１】
上ハーフ３および下ハーフ４は、いずれも、ディスク駆動装置（図示せず）に挿入する先端部に、大きな曲率（Ｒ）の曲線形状を有している。
【００５２】
シャッター戻しバネ６は、その両端がディスク２の厚み方向に対して平行方向で、かつ、同じ方向に折り曲げたねじりコイルバネである。シャッター戻しバネ６は、シャッター５が開口部４ａを開放する位置の近傍に設けられており、シャッター戻しバネ６は、シャッター５が開口部４ａを閉塞する方向（すなわち、−Ｙ方向）に移動するようにシャッター５に付勢する。
【００５３】
シャッター５の先端はシャッター押さえ７によって浮かないよう押さえられている。
【００５４】
下ハーフ４には、スイッチ８が設けられ、スイッチ８を切り換えることによって、ディスク２が記録可能な状態であるか否かを選択することができる。
【００５５】
図２は、上ハーフ３の内面を中心に示した斜視図である。
【００５６】
シャッター５が取り付けられた下ハーフ４の内面の１辺に対向する、上ハーフ３の１辺には、上ハーフ３のディスク収納部境界壁３ｃから外側に延在する庇部が設けられている。この庇部には、側面切欠部３ａが、下ハーフ４と対向する面の一部を切り欠く形態で、シャッター５の閉塞位置の近傍のコーナーに設けられている。この構成によって、側面切欠部３ａと下ハーフ４の突出部とによって、ディスクカートリッジ１の側面に側面溝が形成される。また、この庇部には、シャッター５が取り付けられた下ハーフ４の内面の１辺に対向する、上ハーフ３の１辺に沿って、上側係合溝部３ｂが設けられている。
【００５７】
図３は、下ハーフ４の外面を中心に示した斜視図である。
【００５８】
ディスクカートリッジ１がディスク駆動装置（図示せず）に装着される場合、ディスク駆動装置の記録再生ヘッドおよびスピンドルは、ディスク２に記録するか、または、ディスク２を再生するために開口部４ａに挿入される。開口部４ａの最外周部を連結する連結部４ｂは、開口部４ａと実質的に同じ幅を有し、下ハーフ４の最も厚い部分よりも薄く、かつ、下ハーフ４の外面の一部を切り欠いた形態の厚さを有している。
【００５９】
シャッター５が移動する側面に近い下ハーフ４の外面の縁に、下側係合溝部４ｃが設けられている。下側係合溝部４ｃは、開口部４ａと連通しないように、開口部４ａと所定の距離だけ離れている。
【００６０】
下ハーフ４には、開口部４ａを開放した場合のシャッター５の開放範囲を規制する開放範囲規制部４ｌが設けられている。開放範囲規制部４ｌに対向する下ハーフ４の両端辺近傍にはディスク駆動装置がカートリッジ１を保持するための保持部４ｄが設けられる。
【００６１】
また、ディスクカートリッジ１がディスク駆動装置（図示せず）に挿入される方向の終端縁付近（すなわち、開放範囲規制部４ｌの近傍）には位置決め穴４ｅが設けられている。位置決め穴４ｅは、ディスクカートリッジ１がディスク駆動装置に装着された場合に、そのディスク駆動装置に対するディスクカートリッジ１の位置を規定するために使用される。
【００６２】
ディスクカートリッジ１がディスク駆動装置（図示せず）に挿入される方向の最先端部のコーナーには、前縁と側面に切り欠けられたコーナー凹部４ｆが設けられている。コーナー凹部４ｆは、下ハーフ４における保持部４ｄより下ハーフ４の外周側のコーナーに設けられ、ディスク駆動装置にカートリッジ１を装着する際の高さ方向に関する基準面として使用される。保持部４ｄは、ディスクカートリッジ１の下ハーフ４の主面より凹んだ平面を有している。
【００６３】
図４は、シャッター５の構造を示す斜視図である。
【００６４】
シャッター５は、シャッター５の閉塞位置で開口部４ａを閉塞する平板部分５ｆと、平板部分５ｆの一端から略コ字状に屈曲されたコ字状部分５ｇとを含む。シャッター５は、下ハーフ４を挟み込むように組み立てられる（詳細は、後述する）。
【００６５】
コ字状部分５ｇの上面の一端には上側係合突部５ａが設けられ、平板部分５ｆの上面には、下側係合突部５ｂが設けられている。上側係合突部５ａは、下側係合突部５ｂと対角の位置関係を有するように設けられている。
【００６６】
下側係合突部５ｂの上側にバネ係合部５ｃがコ字状部分５ｇの上側面より低い位置に形成され、コ字状部分５ｇの上側面とバネ係合部５ｃの上側とで切欠部５ｄが形成されている。シャッター戻しバネ６は、バネ係合部５ｃのバネ当接面５ｈに当接する。
【００６７】
コ字状部分５ｇの上側係合突部５ａの側端面は、オープナ当接面５ｅであり、オープナ当接面５ｅにディスク駆動装置（図示せず）のシャッターオープナが当接することによってシャッター５は開口部４ａを開放するように移動する。
【００６８】
図５は、下ハーフ４の内面を示す要部平面図である。
【００６９】
下ハーフ４の内面には、図３に示したように下ハーフ４の外面に設けられた下側係合溝部４ｃの裏側に位置するように、ロック凹部４ｇとバネ摺動面４ｈとを設けた盛り上げ部４ｐを形成し、バネ摺動面４ｈと平行にバネガイドリブ４ｉが設けられる。また、シャッター５は斜面部４ｋの位置で、下側係合突部５ｂを下側係合溝部４ｃにはめこむように挿入して組み立てられる。
【００７０】
シャッター戻しバネ６は、バネガイドリブ４ｉの上に位置するように、その一端をバネ支持部４ｊに支持され、他端をシャッター５のバネ係合部５ｃのバネ当接面５ｈに当接している。
【００７１】
なお、シャッター戻しバネ６では、ロック凹部４ｇの範囲に存在する先端部６ａおよびバネ支持部４ｊと係合する先端部６ｂは、上ハーフ３および下ハーフ４の厚み方向に同じ方向に垂直に屈曲されている。
【００７２】
図５に示されるように、シャッター戻しバネ６の先端部６ａおよびロック凹部４ｇとによって、ロック部８は、シャッター５をロックする。
【００７３】
通常、ディスクカートリッジ１が装着されるディスク駆動装置（図示せず）に載置される面（すなわち、カートリッジ本体１Ａの底面）のコーナー部付近に配置される位置決め穴４ｅは、バネ支持部４ｊのすぐ横に配置されており、位置決め穴４ｅは、ディスク駆動装置の位置決めピンが挿入されるのに十分な深さを有し、かつ、その上面は塞がれており、バネガイドリブ４ｉと同一面に位置決め穴４ｅが設けられている。バネガイドリブ４ｉと上ハーフ３の内面とは所定の間隙を形成し、シャッター戻しバネ６はその間隙の間を移動する。ここで、位置決め穴４ｅは、上ハーフ３および下ハーフ４を貫通しないように設けられているが、間隙は、位置決め穴４ｅと連通していてもよい。
【００７４】
図６は、下ハーフ４の内面を示す平面図である
図６には、下ハーフ４にシャッター５とシャッター戻しバネ６とを組み込んだ状態が示されている。
【００７５】
シャッター５はシャッター戻しバネ６によって−Ｙ方向に付勢され、開口部４ａを閉塞している。バネ係合部５ｃは、シャッター戻しバネ６の先端部６ａがＸ軸方向に摺動可能なように所定の幅を有するように設けられており、バネ当接面５ｈはカートリッジの外側に向かって傾斜するように形成されている。
【００７６】
したがって、シャッター５が開口部４ａを閉塞する場合、シャッター戻しバネ６のバネ当接面５ｈと当接する先端部６ａは自ら広がろうとする反力で−Ｘ方向に移動し、下ハーフ４に形成されたロック凹部４ｇに侵入しているので、Ｙ方向に移動できない位置にあり、シャッター５は開口部４ａを閉塞した位置でロックされる。このように、シャッター戻しバネ６の先端部６ａが、ロック凹部４ｇに係合することよって、シャッター５はロックされている。
【００７７】
先端部６ａの長さは、盛り上げ部４ｐの厚みよりも長いため、カートリッジ本体１Ａの側面に露出しており、側面から押圧してロック凹部４ｇの範囲から先端部６ａが出る位置までディスク２側へ移動させれば、先端部６ａはバネ摺動面４ｈに沿って移動可能となる。その結果、シャッター５を開放方向（Ｙ方向）へスライドさせて、開口部４ａを開放することが可能になる。
【００７８】
このような構成により、本実施の形態によれば、新たにシャッターロック機構を設けることなく、シャッター戻しバネ６を用いて、シャッター５をロックすることが可能となると共に、従来、新たにシャッターロック機構を設けていたディスクカートリッジの先端側を、本実施の形態のように大きく切り欠いて曲線形状にすることも可能となる。
【００７９】
図７は、ディスクカートリッジ１の要部断面図である。図７では、上側係合突部５ａがガイドされている状態が示されている。
【００８０】
図７において、ディスク収納部２１に収納されたディスク２は、ディスク駆動装置（図示せず）のスピンドルにチャッキングされ、ディスクカートリッジ１の厚さのほぼ中央の高さまで持ち上がった位置にある。シャッター５は上ハーフ３の側面切欠部３ａの中で、上ハーフ３と下ハーフ４の連結部４ｂとによって挟まれており、上側係合突部５ａは、上側係合溝部３ｂに挿入されている。したがって、シャッター５は、Ｘ軸方向およびＺ軸方向共に拘束されており、紙面に垂直なＹ軸に沿ってＹ方向または−Ｙ方向に移動可能であるようにガイドされている。
【００８１】
上側係合突部５ａは、シャッター５のロックが開放される際、開口部４ａの位置を通過するが、上側係合突部５ａは、上ハーフ３の厚さの中でガイドされているため、連結部４ｂの下面をディスク２の下面と略同じ高さにすることができ、ディスクカートリッジ１の厚みを大幅に増大することなく、開口部４ａの外周部に大きな空間を設けることができる。
【００８２】
記録再生ヘッド１０のレンズ１２を駆動するレンズ駆動部１１は開口部４ａに挿入され、ディスク２の最外周位置にある時でも、レンズ駆動部１１はディスクカートリッジ１と干渉することなく、十分なスペースが確保される。
【００８３】
また、シャッター５は、側面切欠部３ａからシャッター５が開口部４ａを開放する方向に延在する庇部の内部でガイドされているので、シャッター５が上ハーフ３の外面に露出することがない。したがって、上側係合突部５ａと上側係合溝部３ｂとの係合が外れることを防ぐことができ、シャッター５が開口部４ａを閉塞する機能を損ねことはない。その結果ディスクカートリッジ１に収納されているディスク２を傷、指紋または埃等の汚染を抑制することができる。また、ディスクカートリッジ１の外面の外見上のデザインを損ねることもない。
【００８４】
図８は、ディスクカートリッジ１の別の要部断面図である。図８では、下側係合突部５ｂがガイドされている状態が示されている。
【００８５】
図８において、シャッター５の下側係合突部５ｂは下側係合溝部４ｃにガイドされており、下側係合突部５ｂとバネ係合部５ｃとによって下ハーフ４を挟み込んだ状態でシャッター５はＸ軸方向およびＺ軸方向に拘束されている。下側係合突部５ｂは開口部４ａの位置を通過しないので、図に示すように下ハーフ４においてガイド可能である。
【００８６】
図９は、シャッター５が開口部４ａを閉塞した状態のディスクカートリッジ１の上ハーフ３の外面を中心に示した斜視図であり、図１０は、シャッター５が開口部４ａを閉塞した状態のディスクカートリッジ１の下ハーフ４の外面を中心に示した斜視図である。
【００８７】
図１１は、シャッター５が開口部４ａを開放した状態のディスクカートリッジ１の上ハーフ３の外面を中心に示した斜視図であり、図１２は、シャッター５が開口部４ａを開放した状態のディスクカートリッジ１の下ハーフ４の外面を中心に示した斜視図である。
【００８８】
図９〜図１２に示すように、ディスクカートリッジ１のシャッター５が係合する側面において、シャッター５の切欠部５ｄから、盛り上げ部４ｐに覆われることなく露出するシャッター戻しバネ６の先端部６ａに接触可能になっている。
【００８９】
また、シャッター５の閉塞位置では、開口部４ａは完全に遮蔽され、下側係合溝部４ｃも開口部４ａとは連通していないので埃の侵入経路はなく、極めて防塵性の高い構成となっている。
【００９０】
次に、本実施の形態のディスクカートリッジ１が開口部４ａを開放する動作を説明する。
【００９１】
図１３〜図１８を参照して、実施の形態１におけるディスクカートリッジ１を装着するホルダ２０の要部構成を示す。
【００９２】
図１３は、実施の形態１におけるディスクカートリッジを装着するホルダの要部斜視図である。
【００９３】
ディスクカートリッジ１は、スピンドルおよび記録再生ヘッドが組み込まれたメカシャーシ（図示せず）の上部に配置されたホルダ２０に挿入される。
【００９４】
カートリッジ１とシャッター５とが係合する側のホルダ２０の側面には、ロック解除レバー２１を所定角度回動する回動軸２１ａと、ディスクカートリッジ１を保持する保持バネ２２と、ロック解除レバー２１をホルダ２０の外側方向に回動するように軽く付勢する付勢バネ２３とが設けられている。ここでは、付勢バネ２３は板バネである。
【００９５】
保持バネ２２は、ディスクカートリッジ１がホルダ２０の奥まで挿入された時に、ディスクカートリッジ１の保持部４ｄに係合するように配置される。
【００９６】
ロック解除レバー２１は、ディスクカートリッジ１の挿入方向の奥の端部に配置され、ディスクカートリッジ１の側面に当接するカートリッジ当接部２１ｂと、ディスクカートリッジ１の挿入方向の手前側の端部に配置され、シャッター戻しバネ６を押圧するロック解除部２１ｃとを備えている。
【００９７】
ロック解除レバー２１を回動することによって、カートリッジ当接部２１ｂおよびロック解除部２１ｃのいずれかがホルダ２０の内部に侵入するよう配置されている。
【００９８】
付勢バネ２３は、ロック解除部２１ｃがホルダ２０の外側に退避するようにロック解除レバー２１を付勢している。また、ホルダ２０の内側面には、ディスクカートリッジ１の側面に形成された側面切欠部３ａの高さに、オープナ爪２０ａが設けられている。
【００９９】
図１４〜図１８は、ディスクカートリッジ１のロック解除動作を示す破断要部平面図である。図１４〜図１８では、内部の動作が分かりやすいように、上ハーフ３を取り除いた状態で図示している。
【０１００】
ロック部８は、シャッター５が開口部４ａを開放しないようにシャッター戻しバネ６を用いてシャッター５をロックしている。
【０１０１】
始めに、図１４に示されるように、ディスクカートリッジ１をホルダ２０に挿入し始める。ロック解除部２１ｃはホルダ２０の外側に退避しているので、ディスクカートリッジ１の挿入を妨げず、カートリッジ当接部２１ｂにディスクカートリッジ１の先端が当接するまで挿入される。この時、オープナ爪２０ａは側面切欠部３ａに侵入し始めている。
【０１０２】
次に、図１５に示されるように、カートリッジ当接部２１ｂがディスクカートリッジ１の側面に当接してホルダ２０の外側へ押し出されることで、ロック解除レバー２１が回動し、他端のロック解除部２１ｃがシャッター５の切欠部５ｄに挿入される。この時点では、オープナ爪２０ａはまだシャッター５のオープナ当接面５ｅには到達していない。
【０１０３】
次いで、図１６に示されるように、オープナ爪２０ａがシャッター５のオープナ当接面５ｅに当接するとともに、ロック解除部２１ｃがシャッター戻しバネ６の先端部６ａを内側に押圧してロックを解除する。
【０１０４】
ディスクカートリッジ１をさらに挿入すると、図１７に示すように、シャッター５はオープナ爪２０ａによって固定され、カートリッジ本体１Ａだけが前進して、開口部４ａが開放され、シャッター戻しバネ６はシャッター５に押されて移動する。なお、この状態では、保持バネ２２はディスクカートリッジ１の側面に押圧されている。
【０１０５】
次いで、図１８に示されるように、ディスクカートリッジ１は、ホルダ２０の奥まで挿入され、保持バネ２２が保持部４ｄでディスクカートリッジ１を保持して挿入が完了する。シャッター５は完全に開放位置にあり、記録再生ヘッドおよびスピンドルが開口部４ａに挿入可能となり、ディスク２に記録したり、または、ディスク２から再生することができる。
【０１０６】
なお、シャッター戻しバネ６は、位置決め穴４ｅの上部にまで移動できるように構成しているので、シャッター戻しバネ６の移動範囲内に位置決め穴４ｅを配置する構成であっても、十分な大きさのシャッター戻しバネ６を用いることができ、シャッター５に対する押圧力を自由に調整することができる。
【０１０７】
なお、ディスクカートリッジ１をホルダ２０から取り出す場合、さらにイジェクト機構を設けて、保持バネ２２による保持を解除すれば、シャッター戻しバネ６の反力でディスクカートリッジ１が押し出される。このように、ホルダ２０は、シャッターロック解除装置として機能する。
【０１０８】
図１９は、ディスクカートリッジ１がディスク駆動装置３５に装着された状態を示す模式図である。
【０１０９】
ディスクカートリッジ１は、ディスク駆動装置３５のメカシャーシ３０の上に設置され、メカシャーシ３０の設置面３０ａは、ディスクカートリッジ１の下ハーフ４の主面（一般的には位置決め穴４ｅ近傍）を基準面として支持し、ディスクカートリッジ１の高さ方向の位置決めが行われる。
【０１１０】
しかしながら、シャッター５が開口部４ａを開放する移動方向のディスクカートリッジ１の側面近傍に一対の設置面３０ａを設けるだけでは、ディスクカートリッジ１の片側だけの基準面でディスクカートリッジ１を規定することになるため、好ましくない。したがって、ディスク駆動装置３５の記録再生ヘッド１０の移動範囲にわたって基準面に対応した設置面を備えることが必要である。
【０１１１】
ところが、本実施の形態のように開口部４ａの近傍からＲ状に突出するＲ状突出部を有するディスクカートリッジ１では、Ｒ状突出部の近傍の基準面に対応して、メカシャーシ３０からカートリッジ１に突出させた設置面を設けると、記録再生ヘッド１０が基準面の突出に対して当接し、ディスクカートリッジ１を小型化でき難い課題が生じる。従って、開口部４ａを介して設置面３０ａに対向する部分を基準面とすることは、Ｒ状に突出するカートリッジ１ではスペース上で極めて困難である。
【０１１２】
そこで、下ハーフ４の主面から欠落した平面部を有するコーナー凹部４ｆを設けることにより、コーナー凹部４ｆに対応する設置面３１をより高い位置に配置できるため、記録再生ヘッド１０とディスクカートリッジ１の隙間を最小限にでき、ディスク駆動装置を薄型化することが可能となるとともに、コーナー凹部４ｆを設置面３１ａで支持することにより、ディスク２を駆動するためのディスク駆動装置３５での設置が確実にでき、ディクス２の記録再生動作精度を保証できる。
【０１１３】
また、コーナー凹部４ｆは、ディスクカートリッジ１の挿入方向に対し直交するように設けられているので、設置面３１は、ディスクカートリッジ１の先端側と側面側のいずれの方向から形成してもよい。
【０１１４】
なお、本実施の形態ではコーナー凹部４ｆを２箇所設ける構成で説明したが、ディスク駆動装置に挿入する方向の先端部側において、シャッター５の平板部分５ｆと係合する側面近傍は一般的にスペースの余裕があるため、この部分にコーナー凹部４ｆを設けてもよい。ただし、本実施の形態のようにコーナー凹部４ｆを２箇所設ける構成の方が、記録再生ヘッド等の配置および移動に対する自由度が向上することができるため好ましい。
【０１１５】
なお、上記実施の形態では、ディスクカートリッジがＲ状突出部を有する形態を説明したが、本発明のディスクカートリッジは、ディスクカートリッジが矩形形状であっても適用できること当然である。また、上記実施の形態では、片面のみに開口部を有するディスクカートリッジを例に採り説明したが、両面に開口部を備えるディスクカートリッジであっても、カートリッジ本体の側面に係合する上側係合突部、下側係合突部等を介して両面にシャッターを備えれば、本発明を適用できる。
【０１１６】
さらに、上記実施の形態においては付勢バネとして板バネを使用したが、例えばカートリッジ当接部とメカシャーシとの間を螺旋バネ等で付勢してもよい。付勢手段は適宜設定できる。
【０１１７】
（実施の形態２）
図２０は、本発明の実施の形態２によるディスクカートリッジ１を示す分解斜視図である。
【０１１８】
ディスクカートリッジ１０１は、ロック解除部材１０９をさらに備える点を除いて、実施の形態１において図１を参照して説明したディスクカートリッジ１と実質的に同様の構成を有している。したがって、説明を簡略化する目的で、実施の形態１において図１を参照して説明したディスクカートリッジ１と同じ構成についての説明を省略する。なお、以下の説明において、ディスクカートリッジ１０１の構成要素のうち、ディスクカートリッジ１と対応する構成要素は、実施の形態１において説明したディスクカートリッジ１の構成要素と同じ名称で呼び、かつ、ディスクカートリッジ１０１の構成要素のうち、ディスクカートリッジ１と対応する構成要素の参照符号は、実施の形態１において説明したディスクカートリッジ１の構成要素の参照符号と下２桁の数字が同じであることに留意されたい。
【０１１９】
図２１は、シャッター１０５が開口部１０４ａを閉塞した状態のディスクカートリッジ１０１の上ハーフ１０３の外面を中心に示した斜視図である。
【０１２０】
図２２は、シャッター１０５が開口部１０４ａを閉塞した状態のディスクカートリッジ１０１の下ハーフ１０４の外面を中心に示した斜視図である。
【０１２１】
図２１および図２２に示されるように、ディスクカートリッジ１０１のシャッター１０５が係合する側面において、シャッター１０５の切欠部１０５ｄから、盛り上げ部１０４ｐに覆われずに露出するシャッター戻しバネ１０６の先端部１０６ａをロック解除部材１０９が隠蔽している。したがって、カートリッジ本体１０１Ａの外部からディスク２への間隙は基本的にはコ字状上面部分１０５ｇの板厚が通過可能は幅しかない。また、シャッター１０５の閉塞位置では、開口部１０４ａは完全に遮蔽され、下側係合溝部１０４ｃも開口部１０４ａと連通していないので埃の侵入経路はなく、極めて防塵性の高い構成となっている。
【０１２２】
図２３は、シャッター１０５の構造を示す斜視図である。
【０１２３】
シャッター１０５の閉塞位置において、開口部１０４ａを閉塞する平板部分１０５ｆの一端には、例えば金属板を折り曲げ加工等により略コ字状に屈曲されたコ字状側壁部分１０５ｉとコ字状上面部分１０５ｇとが設けられ、下ハーフ１０４を挟み込むように組み立てられる。
【０１２４】
コ字状上面部分１０５ｇの上面の一端には上側係合突部１０５ａが設けられ、平板部分１０５ｆの上面には、下側係合突部１０５ｂが設けられている。上側係合突部１０５ａは、上側係合突部１０５ａと対角の位置関係を有するように設けられている。
【０１２５】
下側係合突部１０５ｂの上側にバネ係合部１０５ｃがコ字状上面部分１０５ｇの上側の面より低い位置に形成され、コ字状上面部分１０５ｇの上側面とバネ係合部１０５ｃの上側とで切欠部１０５ｄが形成されている。
【０１２６】
コ字状上面部分１０５ｇの上側係合突部１０５ａの側端面は、解除部材当接面１０５ｅである。解除部材当接面１０５ｅには、ロック解除部材１０９を介してディスク駆動装置（図示せず）のシャッターオープナ爪１２０ａが当接することによって、シャッター１０５が開口部１０４ａを開放するように移動する（詳細は後述する）。
【０１２７】
また、コ字状上面部分１０５ｇの解除部材当接面１０５ｅに対してシャッター戻しバネ１０６に対向する端面１０５ｊは、シャッター戻しバネ１０６の先端部１０６ａに係合する。
【０１２８】
図２４は、実施の形態２におけるシャッター近傍の構成を説明する要部斜視図である。
【０１２９】
図２４を参照して、シャッター１０５、シャッター戻しバネ１０６およびロック解除部材１０９の配置関係を説明する。
【０１３０】
ロック解除部材１０９は、例えば、ディスク駆動装置（図示せず）に設けられるシャッターオープナ爪１２０ａと当接するオープナ当接部１０９ａと、シャッター戻しバネ１０６の先端部１０６ａと係合する接触部１０９ｂと、オープナ当接部１０９ａと接触部１０９ｂとを連接する連接部１０９ｃとを備える。
【０１３１】
連接部１０９ｃは、コ字状側壁部分１０５ｉ、コ字状上面部分１０５ｇおよびバネ係合部１０５ｃによって形成された空間にそれぞれ摺動可能に組み込まれる。
【０１３２】
なお、連接部１０９ｃのＺ方向の厚みは、オープナ当接部１０９ａおよび接触部１０９ｂよりも薄く形成することでディスクカートリッジ１０１のＺ方向の厚みを薄くすることができ、埃等がカートリッジ本体１０１Ａの内部に入り込んで、ディスク１０２を汚染することから抑制できる。また、ロック解除部材１０９のＹ方向への摺動移動距離を制御することもできる。また、接触部１０９ｂのシャッター戻しバネ１０６の先端部１０６ａに係合する係合面は、バネ係合部１０５ｃの傾斜部と逆向きの傾斜が形成されている。
【０１３３】
次に、実施の形態２のディスクカートリッジ１０１におけるシャッター１０５を開放する動作を、図２５〜図２９を参照して説明する。
【０１３４】
図２５は、実施の形態２におけるシャッター１０５が開口部１０４ａを閉塞した状態のディスクカートリッジ１０１の下ハーフ１０４の内面を示す要部斜視図である。ここで、ロック部１０８は、シャッター１０５が開口部１０４ａを開放しないようにシャッター戻しバネ１０６を用いてシャッター１０５をロックしている。
【０１３５】
図２５には、下ハーフ１０４、シャッター１０５、シャッター戻しバネ１０６、ロック解除部材１０９それぞれの配置が示されている。
【０１３６】
これらを実際に組み込む際には、ロック解除部材１０９をコ字状上面部分１０５ｇ、コ字状側壁部分１０５ｉ、バネ係合部１０５ｃのそれぞれによって形成される空間に沿って配置し、シャッター１０５に設けられた下側係合突部１０５ｂを下ハーフ１０４に設けられた下側係合溝部１０４ｃにガイドさせながらシャッター１０５を下ハーフ１０４に装着し、その後、シャッター戻しバネ１０６をバネ係合部１０５ｃのバネ当接面１０５ｈとバネ支持部１０４ｊとの間にシャッター戻しバネ１０６を付勢しながら組み込み、図２５に示した状態に組み立てられる。
【０１３７】
こうすることで、下ハーフ１０４に、シャッター１０５およびロック解除部材１０９を組み込み、さらに、シャッター戻しバネ１０６を組み込むと、シャッター１０５は、シャッター戻しバネ１０６の反力により閉塞位置まで押戻され、同時にロック解除部材９も押戻されて、オープナ当接部１０９ａがシャッター閉塞方向に突出した状態で係止する。すなわち、この状態でシャッター１０５を開放方向に移動しようとしても、シャッター戻しバネ１０６の先端部１０６ａがシャッター係合部１０５ｃと盛り上げ部１０４ｐとの間に介在しているため、この先端部１０６ａが開放方向の移動を阻止するため、シャッター１０５が不要な外力等で開放してしまい、ディスク１０２に傷、埃および／または人の手の指紋等の異物が付着することを完全に抑制することができる。
【０１３８】
この状態からシャッター１０５を開放させる動作の一例を説明する。
【０１３９】
図２６〜図２９は、例えばトレイに実施の形態２のディスクカートリッジ１０１を載置し、ディスクカートリッジ１０１をディスク駆動装置のホルダ１２０に装着する過程を、上ハーフ１０３とディスク１０２とを取り除いて示した要部破断平面図である。
【０１４０】
ディスクカートリッジ１０１の挿入を開始する直前の状態を示す図２６から、シャッター１０５が開口部１０４ａを開放した状態を示す図２９を参照して、説明する。
【０１４１】
ディスクカートリッジ１０１をトレイ（図示せず）に載置すると、図２６に示すように、ディスク駆動装置（図示せず）のホルダ１２０に設けられたオープナ爪１２０ａが、上ハーフ１０３と下ハーフ１０４との間隙に侵入する前の状態となる。この状態では、シャッター戻りバネ１０６の付勢力が接触部１０９ｂの係合面に作用するため、ロック解除部材１０９はオープナ当接部１０９ａの方に押圧され、解除部材当接面１０５ｅとオープナ当接部１０９ａとの間に距離Ｓだけの間隙を有することになる（この間隙部分には当然連接部１０９ｃが見えている）。
【０１４２】
ディスクカートリッジ１０１の挿入を距離Ｓだけ進行させると、図２７に示すように、オープナ当接部１０９ａと解除部材当接面１０５ｅとが当接する。接触部１０９ｂの当接面はディスク１０２の方に傾いた傾斜を有しているため、距離Ｓだけロック解除部材１０９が押し出されると、当接面が先端部１０６ａをディスク１０２の方向（すなわちＸ方向）に押圧し、先端部１０６ａがバネ当接面１０５ｈに沿って移動し、シャッター１０５のロックが解除される。
【０１４３】
従って、距離Ｓは先端部１０６ａが当接面に沿ってバネ摺動面１０４ｈに達する距離以上であることが必要であれ、距離Ｓの長さは当接面の斜面の角度と相関性があり、適宜最適値に設定できる。
【０１４４】
ディスクカートリッジ１０１の挿入を更に進行させると、先端部１０６ａが介在することによるシャッター１０５のロックは解除されているため、オープナ爪１２０ａがオープナ当接部１０９ａを介して解除部材当接部１０５ｅを押圧し、シャッター戻しバネ１０６を変形させながら図２８に示すように、シャッター１０５の平板部分１０５ｆによって閉塞していた開口部１０４ａが開放される。
【０１４５】
なお、オープナ当接部１０９ａの面積は解除部材当接面１０５ｅの面積よりも大きいため、ロック解除部材１０９はシャッター１０５と一体的に移動する。また、シャッター戻しバネ１０６は変形によりディスク１０２の方（すなわちＸ方向）に移動するが、ディスク保持部１０４ｄと下ハーフ１０４の側壁との間隙を適正に設定することにより変形に伴う移動は吸収でき、シャッター１０５が開口部１０４ａを開放する動作に影響は与えなくすることができる。
【０１４６】
ディスクカートリッジ１０１の挿入を更に進行させると、図２９に示すように、接触部１０９ｂが下ハーフ１０４の挿入方向の後ろ側の側壁（以下、後ろ側側壁と称す）に当接することでシャッター１０５の開放動作は終了し、開口部１０４ａは完全に開放される。
【０１４７】
このようにホルダ１２０は、シャッターロック解除装置として機能する。
【０１４８】
なお、本実施の形態の上記説明では、接触部１０９ｂが後ろ側側壁に当接する構成を説明したが、後ろ側側壁よりも挿入方向の前側に仕切りを設け、当該仕切りによりシャッター１０５の開放動作を終了させても、平板部分１０５ｆが完全に開口部１０４ａを開放さえいればよいこと勿論である。
【０１４９】
また、本実施の形態では、シャッター戻しバネ１０６の先端部１０６ａをディスクカートリッジ１０１の内側に移動させてロック解除する構成を示したが、先端部１０６ａを外側に移動させてロック解除してもよく、バネの構成、ロック解除部材の先端形状は適宜設計可能である。
【０１５０】
さらに、シャッター戻しバネ１０６は、ねじりコイルバネを使用しているが、他の弾性体を用いてもよい。
【０１５１】
以上のように、本実施の形態によれば、シャッター１０５のロック解除動作と開口部１０４ａの開放動作をオープナ爪１２０ａによって行うので、記録再生装置等のディスク駆動装置にロック解除機構をさらに設ける必要がない。それにより、ディスク駆動装置の構成を極めて単純化することができ、ディスク駆動装置のコストを低減することが可能になる。
【０１５２】
また、シャッター１０５が開口部１０４ａを開放する場合には、シャッター１０５のロックを解除してからシャッター１０５が開口部１０４ａを開放し、シャッター１０５が開口部１０４ａを閉塞する場合には、開口部１０４ａを閉塞した後に、シャッター１０５を確実にロックするため、シャッター１０５のロックおよびロック解除に対する信頼性も向上できる。換言すると、本発明のディスクカートリッジは、シャッター１０５によって開口部１０４ａを閉塞する場合には、外力によって開口部１０４ａが不要に開放されるを確実に防止できるとともに、当該シャッター１０５が開口部１０４ａを開放する場合には極めて単純な装置構成で確実に開口部１０４ａを開放する動作が達成できるという顕著な効果がある。
【０１５３】
さらに、ロック解除部材１０９はディスクカートリッジ１０１の側面に形成した例えばオープナ爪１２０ａが通過できる間隙の範囲で吸収できるため、ディスクに直交する方向のディスクカートリッジ１０１の厚み、およびディスク１０２の面方向のディスクカートリッジ１０２の面積を大きくすることはない。
【産業上の利用可能性】
【０１５４】
以上のように、本発明のディスクカートリッジによれば、シャッター戻しバネによって、シャッター部材を移動させて開口部を閉塞すること、および、開口部を閉塞した閉塞状態において、使用者の取り扱いによってシャッター部材が開口部を不容易に開放するのを防ぐことが同時に実現されるため、ディスクカートリッジ内のディスクの保護を非常に安価な構成で確実に行うことができる。
【０１５５】
また、シャッター戻しバネによって、開口部の閉塞とシャッター部材のロックといった複数の機能が実現されるため、同様な機能をそれぞれ専用の部品を使って別々に行う場合に比べて、カートリッジのサイズを小さくすることができる。
【０１５６】
さらに、ディスクカートリッジをディスク駆動装置に挿入する先端側に新たにロック機構を設ける必要がないため、外形デザインの自由度が増し、先端側に大きな曲率を有する斬新な形状を提供することができるとともに、曲率を有する部分には、ディスク駆動装置の構成部品を配置することができ、それによって、ディスク駆動装置の小型化にも貢献できるディスクカートリッジを実現できる効果がある。
【０１５７】
本発明のある実施形態によると、シャッター戻しバネの空間面積を減らすことなくシャッター戻しバネを配置することが可能であるため、シャッター戻しバネの形状をシンプルにすることができ、シャッター戻しバネのコストを低減するとともに製造品質をも高めることができる。さらに、位置決め穴とシャッター戻しバネの移動範囲とが連通しているため、それぞれ専用の空間に別々に構成する場合にくらべてディスクカートリッジを小さく形成することができる。
【０１５８】
本発明のある実施形態によると、シャッター戻しバネを用いて、シャッターの閉塞状態において、シャッターをロックするため、ロックのための新たな部品を追加することなく非常に簡単な構成でシャッターのロックを実現でき、それにより、ディスクカートリッジを安価にすることができる。また、部品の数が増えないためロック動作の信頼性の高いディスクカートリッジを提供することができる。
【０１５９】
本発明のある実施形態によると、直接、シャッター戻しバネの先端部を押すことによりシャッターのロックを解除することができる。また、シャッター戻しバネの先端部は、カートリッジ本体の側面に設けられた案内溝部に存在するため、カートリッジの外側から不容易に接触することによってロック解除することが抑制され、安全なロック解除装置を提供することができる。さらに、ディスクカートリッジのシャッターは、シャッター戻りバネの付勢力によって閉塞状態となり、ディスクカートリッジを取り出す際の操作感の良いディスクカートリッジを提供できる。
【０１６０】
本発明のある実施形態によると、シャッターが開口部を開放する開放状態からシャッターが開口部を閉塞する閉塞状態に戻る場合に、シャッター戻しバネの先端部を安定的にロック凹部に移動させることができ、シャッターのロック動作の信頼性を高めることができる。これにより、繰り返し使用されることなどによって、シャッター戻しバネの先端部と当接する面が表面状態が変化し、シャッター部材の移動時の摩擦係数が高くなってしまった場合であっても、信頼性の高い状態でシャッターのロックを行うことができる。
【０１６１】
本発明のある実施形態によると、シャッター部材とカートリッジ本体との係合部を薄くすることができ、ディスクカートリッジの薄型化を実現することができる。また、ディスクカートリッジに収納されたディスクに記録するか、または、ディスクを再生するための光ピックアップの大きさを低減できるため、本発明のディスクカートリッジを使用する光ディスク装置の小型化に対しても顕著な効果を奏する。
【０１６２】
本発明のある実施形態によると、シャッター部材とカートリッジ本体との係合を確実に行い、例えば、ディスクカートリッジの外部から加わる力によってシャッター部材がカートリッジ本体から離脱され、収納したディスクに損傷等を与えることを抑制することができる。また、本発明のディスクカートリッジの薄型化およびディスク駆動装置の小型・薄型化に対しても有効である。
【０１６３】
本発明のある実施形態によると、下側係合溝部を通じて開口部内へ埃などの進入を防ぐことのできる密閉性の高いディスクカートリッジを実現することができる。
【０１６４】
本発明のある実施形態によると、第２のケースに設けた連結部の下面が、スピンドルにチャッキングされた状態のディスクの下面と略同一面とするとともに、連結部の上面が第１のケースの端部に形成した切欠部と合わせてカートリッジ本体の側面に溝を形成したため、シャッター部材のガイドおよび保持になんらの支障を与えることなく、光ピックアップのディスク外周側のサイズを制限する必要性が減少するとともに、光ピックアップのディスク駆動装置内の配置に対する制約も低減することができるため、本発明のディスクカートリッジを使用する光ピックアップ装置の薄型化と小型化とを実現することができる。
【０１６５】
本発明のある実施形態によると、開口部の下を前記ディスクの内周から外周に亘って移動する光ピックアップ装置がディスクの外周部側に位置するときも、カートリッジ本体を載置するためディスク駆動装置のシャーシなどに設けられたカートリッジ載置部が高さ方向で光ピックアップと干渉しないようにすることができる。それにより、ディスク駆動装置の厚さを薄くすることができる。特に、光ピックアップ装置のサイズに比べ小さな径のディスクを収納するディスクカートリッジを用いるディスク駆動装置において効果が大きい。
【０１６６】
本発明のある実施形態によると、ディスクカートリッジをカートリッジホルダに挿入する際、シャッターロック解除動作が非常に簡単な構成で実現でき、カートリッジホルダー装置の小型化ひいてはディスク駆動装置の小型化を実現できる。
【０１６７】
本発明のある実施形態によると、ディスクカートリッジをカートリッジホルダーに挿入する際、シャッターロック手段を解除する側の端部がカートリッジの先端と当接することがないため、カートリッジ本体に擦り傷がついてしまったり、挿入時の感触が悪くなったりすることのない高品位のシャッターロック解除装置を提供できる。
【０１６８】
本発明のある実施の形態のディスクカートリッジによれば、シャッター戻しバネはシャッター部材が開口部を閉塞すること、および、シャッター部材を閉塞した後の使用者の取り扱いによってシャッター部材が開口部を不容易に開放してしまうことを防止することの両方を実現するため、ディスクカートリッジ内のディスクの保護を非常に安価な構成で確実に可能にできる。また、シャッター戻しバネにｙって、シャッター戻しとシャッターのロックといった複数の機能を実現できるため、同様な機能をそれぞれ専用の部品を使って構成した場合に比べ一箇所で集中した機構構成が可能であり、その結果、ディスクカートリッジのサイズを小さくすることができる。さらに、先端側に新たなロック機構を設けることが不要になるため、外形デザインの自由度が増し、先端側に大きい曲率を有する斬新な形状とすることができる。その場合、曲率を有する部分に、ディスク駆動装置の構成部品を配置することができ、それにより、ディスク駆動装置の小型化にも貢献できる。
【０１６９】
また、ディスク駆動装置にカートリッジを挿入する方向の先端側に新たにロック機構を設けること不要になり、シャッター戻りバネによるシャッターのロックを解除するロック解除部をディスクカートリッジに設けたので、ディスク駆動装置のカートリッジホルダに特別なロック解除機構を設けることが不要となり、ディスク駆動装置の小型化および省部品化を実現することができる。
【０１７０】
本発明のある実施の形態によれば、ロック解除部はシャッター部材が開口部を開放する方向に移動してロックを解除するので、例えばカートリッジの収容されたディスクを記録または再生する記録再生部にカートリッジを駆動するためのディスク駆動装置にオープナ爪を設けるという極めて簡単な構成でロック解除動作が可能であり、ディスク駆動装置の例えばカートリッジ把持部の構成は極めてシンプルな構成でよく、ディスク駆動装置のコストダウンや信頼性に大きな効果を奏する。すなわち、ロック解除部がシャッター戻しバネによるシャッターのロックを解除した後、シャッターが開口部を開放する構成であるため、シャッターが開口部を開放する動作に対する信頼性が高く、また閉塞動作に対してもロック解除部はシャッターのコ字状屈曲部内でシャッターの閉塞方向に摺動することで、シャッター戻しバネによるシャッターロック機構を復元できる構成であるため、閉塞動作においても信頼性が高い。
【０１７１】
本発明のある実施の形態によれば、ロック解除部は、オープナ爪に押されてロック解除を完了後、そのままシャッター部材とともに開放位置まで移動するので、ロック解除部とオープナ爪の干渉もなく、カートリッジ内にロック解除部の退避スペースが必要ないので、カートリッジの小型化が可能である。
【図面の簡単な説明】
【０１７２】
【図１】図１は、本発明の実施の形態１によるディスクカートリッジの分解斜視図である。
【図２】図２は、実施の形態１における上ハーフの内面を中心に示した斜視図である。
【図３】図３は、実施の形態１における下ハーフの外面を中心に示した斜視図である。
【図４】図４は、実施の形態１におけるシャッターの斜視図である。
【図５】図５は、実施の形態１における下ハーフの内面を示す要部平面図である。
【図６】図６は、実施の形態１における下ハーフの内面を示す平面図である。
【図７】図７は、実施の形態１におけるディスクカートリッジの要部断面図である。
【図８】図８は、実施の形態１において、ディスクカートリッジの別の要部断面図である。
【図９】図９は、実施の形態１において、シャッターが開口部を閉塞した状態のディスクカートリッジの上ハーフの外面を中心に示した斜視図である。
【図１０】図１０は、実施の形態１において、シャッターが開口部を閉塞した状態のディスクカートリッジの下ハーフの外面を中心に示した斜視図である。
【図１１】図１１は、実施の形態１において、シャッターが開口部を開放した状態のディスクカートリッジの上ハーフの外面を中心に示した斜視図である。
【図１２】図１２は、実施の形態１において、シャッターが開口部を開放した状態のディスクカートリッジの下ハーフの外面を中心に示した斜視図である。
【図１３】図１３は、実施の形態１におけるディスクカートリッジを装着するホルダの要部斜視図である。
【図１４】図１４は、実施の形態１において、ロック解除動作を説明する要部平面図である。
【図１５】図１５は、実施の形態１において、ロック解除動作を説明する要部平面図である。
【図１６】図１６は、実施の形態１において、ロック解除動作を説明する要部平面図である。
【図１７】図１７は、実施の形態１において、ロック解除動作を説明する要部平面図である。
【図１８】図１８は、実施の形態１において、ロック解除動作を説明する要部平面図である。
【図１９】図１９は、実施の形態１において、ディスクカートリッジが装着された状態を説明する要部部分断面図である。
【図２０】図２０は、本発明の実施の形態２によるディスクカートリッジの分解斜視図である。
【図２１】図２１は、実施の形態２におけるシャッターが開口部を閉塞した状態のディスクカートリッジの上ハーフの外面を中心に示した斜視図である。
【図２２】図２２は、実施の形態２におけるシャッターが開口部を閉塞した状態のディスクカートリッジの下ハーフの外面を中心に示した斜視図である。
【図２３】図２３は、実施の形態２におけるシャッターの斜視図である。
【図２４】図２４は、実施の形態２におけるシャッター近傍の構成を説明する要部斜視図である。
【図２５】図２５は、実施の形態２における下ハーフの内面を中心に示した斜視図である。
【図２６】図２６は、実施の形態２におけるシャッターが開口部を開放する動作を説明する要部平面図である。
【図２７】図２７は、実施の形態２におけるシャッターが開口部を開放する動作を説明する要部平面図である。
【図２８】図２８は、実施の形態２におけるシャッターが開口部を開放する動作を説明する要部平面図である。
【図２９】図２９は、実施の形態２におけるシャッターが開口部を開放する動作を説明する要部平面図である。
【手続補正３】
【補正対象書類名】図面
【補正対象項目名】全図
【補正方法】変更
【補正の内容】
【図１】
2004032137.tif 000032
【図２】
2004032137.tif 000033
【図３】
2004032137.tif 000034
【図４】
2004032137.tif 000035
【図５】
2004032137.tif 000036
【図６】
2004032137.tif 000037
【図７】
2004032137.tif 000038
【図８】
2004032137.tif 000039
【図９】
2004032137.tif 000040
【図１０】
2004032137.tif 000041
【図１１】
2004032137.tif 000042
【図１２】
2004032137.tif 000043
【図１３】
2004032137.tif 000044
【図１４】
2004032137.tif 000045
【図１５】
2004032137.tif 000046
【図１６】
2004032137.tif 000047
【図１７】
2004032137.tif 000048
【図１８】
2004032137.tif 000049
【図１９】
2004032137.tif 000050
【図２０】
2004032137.tif 000051
【図２１】
2004032137.tif 000052
【図２２】
2004032137.tif 000053
【図２３】
2004032137.tif 000054
【図２４】
2004032137.tif 000055
【図２５】
2004032137.tif 000056
【図２６】
2004032137.tif 000057
【図２７】
2004032137.tif 000058
【図２８】
2004032137.tif 000059
【図２９】
2004032137.tif 000060
【国際調査報告】
2004032137.tif 000061
2004032137.tif 000062
2004032137.tif 000063
2004032137.tif 000064